(57)【要約】【課題】フィードバック信号に係る関連パラメータの通知に起因する周波数利用効率低下を抑制する技術を提供する。【解決手段】信号割当装置１０は、フィードバック信号の送信周期、フィードバック信号に割り当てる送信サブフレームのオフセット、各Ｂａｎｄｗｉｄｔｈ  ＰａｒｔのＳｕｂｂａｎｄ−ＣＱＩの送信繰り返し回数、および、フィードバック信号に使われるサイクリックシフトのインデックスを移動局端末毎に決定するフィードバック信号割当決定部１１０を備え、フィードバック信号割当決定部１１０は、今回決定した上記送信周期が前回決定した上記送信周期と同一であり、かつ、今回決定した前記送信繰り返し回数が前回決定した前記送信繰り返し回数と同一である移動局端末については、前回決定した上記関連パラメータを今回の上記関連パラメータとして決定する。【選択図】図１
2011066643.tif 000002
【特許請求の範囲】
【請求項１】
移動局端末から基地局に送信されるフィードバック信号に係る関連パラメータを割り当てる信号割当装置において、
移動局端末の推定ドップラ周波数、コヒーレンス時間決定用の係数、および、前記フィードバック信号に割り当てるリソースブロックの上限値を取得する入力情報制御部と、
前記入力情報制御部によって取得された前記推定ドップラ周波数、前記係数、および、前記上限値に応じて、前記フィードバック信号の送信周期、前記フィードバック信号に割り当てる送信サブフレームのオフセット、各Ｂａｎｄｗｉｄｔｈ  ＰａｒｔのＳｕｂｂａｎｄ−ＣＱＩの送信繰り返し回数、および、前記フィードバック信号に使われるサイクリックシフトのインデックスを前記フィードバック信号に係る関連パラメータとして移動局端末毎に決定するフィードバック信号割当決定部と
を備え、
前記フィードバック信号割当決定部は、
今回決定した前記フィードバック信号の送信周期が前回決定した前記フィードバック信号の送信周期と同一であり、かつ、今回決定した前記送信繰り返し回数が前回決定した前記送信繰り返し回数と同一である移動局端末に対して、前回決定した前記フィードバック信号に係る関連パラメータを今回の前記フィードバック信号に係る関連パラメータとして決定することを特徴とする信号割当装置。
【請求項２】
前記フィードバック信号割当決定部は、
割当可能な前記フィードバック信号に係る関連パラメータの組合せを要素とする集合であって、今回決定した前記フィードバック信号の送信周期が前回決定した前記フィードバック信号の送信周期と同一であり、かつ、今回決定した前記送信繰り返し回数が前回決定した前記送信繰り返し回数と同一である移動局端末に係る、前回決定した前記フィードバック信号に使われるサイクリックシフトのインデックス、前回決定した前記フィードバック信号の送信周期、および、前回決定した前記フィードバック信号に割り当てる送信サブフレームのオフセット以外のオフセットの組合せを要素とする集合の中から優先して、今回決定した前記フィードバック信号の送信周期が前回決定した前記フィードバック信号の送信周期と異なるか、もしくは、今回決定した前記送信繰り返し回数が前回決定した前記送信繰り返し回数と異なる移動局端末に対して、今回の前記フィードバック信号に係る関連パラメータを割り当てることを特徴とする請求項１に記載の信号割当装置。
【請求項３】
前記フィードバック信号割当決定部は、
前記集合内に割当可能な前記フィードバック信号に係る関連パラメータが存在しない場合、今回決定した前記フィードバック信号の送信周期が前回決定した前記フィードバック信号の送信周期と異なるか、もしくは、今回決定した前記送信繰り返し回数が前回決定した前記送信繰り返し回数と異なる移動局端末に対して、移動局端末に決定した前記フィードバック信号の送信周期を更新して、前記フィードバック信号に係る関連パラメータを割り当てることを特徴とする請求項２の信号割当装置。
【請求項４】
前記フィードバック信号割当決定部は、
移動局端末のＳＲＳ送信サブフレームと重ならないように前記フィードバック信号に割り当てる送信サブフレームのオフセットを決定することを特徴とする請求項１から請求項３の何れか１項に記載の信号割当装置。
【請求項５】
前記フィードバック信号割当決定部は、
サブバンドＣＱＩを送信する場合、各Ｂａｎｄｗｉｄｔｈ  ＰａｒｔのＳｕｂｂａｎｄ−ＣＱＩの送信繰り返し回数を固定して、前記フィードバック信号に係る関連パラメータを決定することを特徴とする請求項１から請求項４の何れか１項に記載の信号割当装置。
【請求項６】
前記フィードバック信号割当決定部は、
前記フィードバック信号に係る関連パラメータを決定する全移動局端末の前記フィードバック信号の送信周期を同じ値に設定し、各移動局端末の移動速度に基づいて、サブバンドＣＱＩを送信する場合の各Ｂａｎｄｗｉｄｔｈ  ＰａｒｔのＳｕｂｂａｎｄ−ＣＱＩの送信繰り返し回数を決定して、前記フィードバック信号に係る関連パラメータを決定することを特徴とする請求項１から請求項５の何れか１項に記載の信号割当装置。
【請求項７】
前記フィードバック信号割当決定部は、
前記フィードバック信号に割り当てる送信サブフレームのオフセットが増加する順を第１キーとして、前記フィードバック信号に使われるサイクリックシフトのインデックスが増加する順を第２キーとして、前記フィードバック信号に係る関連パラメータを決定することを特徴とする請求項１から請求項６の何れか１項に記載の信号割当装置。
【請求項８】
移動局端末から基地局に送信されるフィードバック信号に係る関連パラメータを割り当てる信号割当方法において、
移動局端末の推定ドップラ周波数、コヒーレンス時間決定用の係数、および、前記フィードバック信号に割り当てるリソースブロックの上限値を取得する入力情報制御ステップと、
前記入力情報制御ステップによって取得された前記推定ドップラ周波数、前記係数、および、前記上限値に応じて、前記フィードバック信号の送信周期、前記フィードバック信号に割り当てる送信サブフレームのオフセット、各Ｂａｎｄｗｉｄｔｈ  ＰａｒｔのＳｕｂｂａｎｄ−ＣＱＩの送信繰り返し回数、および、前記フィードバック信号に使われるサイクリックシフトのインデックスを前記フィードバック信号に係る関連パラメータとして移動局端末毎に決定するフィードバック信号割当決定ステップと
を備え、
前記フィードバック信号割当決定ステップは、
今回決定した前記フィードバック信号の送信周期が、前回決定した前記フィードバック信号の送信周期と同一であり、かつ、今回決定した前記送信繰り返し回数が前回決定した前記送信繰り返し回数と同一である移動局端末に対して、前回決定した前記フィードバック信号に係る関連パラメータを今回の前記フィードバック信号に係る関連パラメータとして決定することを特徴とする信号割当方法。
【請求項９】
移動局端末から基地局に送信されるフィードバック信号に係る関連パラメータを割り当てる信号割当装置のコンピュータに、
移動局端末の推定ドップラ周波数、コヒーレンス時間決定用の係数、および、前記フィードバック信号に割り当てるリソースブロックの上限値を取得する入力情報制御ステップと、
前記入力情報制御ステップによって取得された前記推定ドップラ周波数、前記係数、および、前記上限値に応じて、前記フィードバック信号の送信周期、前記フィードバック信号に割り当てる送信サブフレームのオフセット、各Ｂａｎｄｗｉｄｔｈ  ＰａｒｔのＳｕｂｂａｎｄ−ＣＱＩの送信繰り返し回数、および、前記フィードバック信号に使われるサイクリックシフトのインデックスを前記フィードバック信号に係る関連パラメータとして移動局端末毎に決定するフィードバック信号割当決定ステップと
を実行させるプログラムであって、
前記フィードバック信号割当決定ステップは、
今回決定した前記フィードバック信号の送信周期が、前回決定した前記フィードバック信号の送信周期と同一であり、かつ、今回決定した前記送信繰り返し回数が前回決定した前記送信繰り返し回数と同一である移動局端末に対して、前回決定した前記フィードバック信号に係る関連パラメータを今回の前記フィードバック信号に係る関連パラメータとして決定することを特徴とするプログラム。
【発明の詳細な説明】
【技術分野】
【０００１】
本発明は、信号割当装置、信号割当方法およびプログラムに関する。
【背景技術】
【０００２】
現在、標準化団体３ＧＰＰ（3rd Generation Partnership Project）において、ＬＴＥ（Long Term Evolution）と呼ばれる標準化が進められている。ＬＴＥは、下り１００Ｍｂｐｓ以上／上り５０Ｍｂｐｓ以上の高速通信の実現を目指したもので、上りリンクと下りリンクが周波数分割複信および時間分割複信に対応する。
【０００３】
上りリンクと下りリンクが周波数分割複信する無線通信システムでは、移動局端末（以下、「ＵＥ」とも表記する）が上りリンクの制御チャネルを利用して、下りリンクのチャネル品質（ＣＱＩ：channel quantity indicator）を基地局に通知する。また、複数物理送信アンテナが採用されるＭＩＭＯ（Multiple Input Multiple Output）無線システムでは、ＣＱＩとともに、送信用Ｐｒｅｃｏｄｅｒ Ｉｎｄｉｃａｔｏｒ（ＰＭＩ）および送信ストリーム数に関する情報（ＲＩ：Rank Indicator）を基地局にフィードバックする。
【０００４】
ＬＴＥにおけるＣＱＩ／ＰＭＩ／ＲＩフィードバック信号の送信に関連する情報（「フィードバック信号に係る関連パラメータ」、「関連パラメータ」、「送信制御情報」とも称する）を纏めると以下のようになる。
１.ＵＥ毎のＣＱＩ／ＰＭＩ／ＲＩフィードバック信号に関連する情報
（１）Ｎｐ（ｕ）：ＵＥｕ（ｕは、ＵＥのインデックス）のＣＱＩ／ＰＭＩ送信周期。ＬＴＥがサポートするＣＱＩ／ＰＭＩ送信周期は２ｍｓ、５ｍｓ、１０ｍｓ、２０ｍｓ、３２ｍｓ、４０ｍｓ、６４ｍｓ、８０ｍｓ、１２８ｍｓ、１６０ｍｓである。
（２）Ｎｏｆｆｓｅｔ，ＣＱＩ（ｕ）：ＵＥｕのＣＱＩ／ＰＭＩ送信時間オフセット（Offset）。０〜Ｎｐ（ｕ）−１である。
（３）ｎＰＵＣＣＨ（２）（ｕ）：ＣＱＩ／ＰＭＩ／ＲＩフィードバック信号をＰＵＣＣＨでフィードバックする際の、ＵＥｕのＰＵＣＣＨ  ｆｏｒｍａｔ２のサイクリックシフト（Cyclic shift）のＩＤ。
（４）ＭＲＩ（ｕ）：ＵＥｕのＲＩ送信周期係数。ＲＩ送信周期＝ＭＲＩ（ｕ）×Ｎｐ（ｕ）。ＭＩＭＯサポートするＵＥのみに関係する。
（５）Ｎｏｆｆｓｅｔ，ＲＩ（ｕ）：ＵＥｕのＣＱＩ／ＰＭＩ送信サブフレームに対するＵＥｕのＲＩ送信サブフレームのオフセット。ＭＩＭＯサポートするＵＥのみに関係する。
（６）Ｆａｐｅｒｉｏｄｉｃ（ｕ）：ＵＥｕのａｐｅｒｉｏｄｉｃ  ＣＱＩ／ＰＭＩ／ＲＩフィードバック信号に係る送信フラグ。Ｆａｐｅｒｉｏｄｉｃ（ｕ）＝１のとき、ＵＥｕはＰＵＳＣＨを用いてＡｐｅｒｉｏｄｉｃ−ＣＱＩ（Wideband andＳｕｂｂａｎｄ−ＣＱＩ）を送信する。Ｆａｐｅｒｉｏｄｉｃ（ｕ）＝０のとき、ＵＥｕはＰＵＳＣＨを用いて、Ａｐｅｒｉｏｄｉｃ−ＣＱＩを送信しない。
（７）Ｆｓｕｂｂａｎｄ−ＣＱＩ（ｕ）：ＵＥｕのｐｅｒｉｏｄｉｃ  ＣＱＩ／ＰＭＩ／ＲＩフィードバック信号に係るＳｕｂｂａｎｄ−ＣＱＩの送信フラグ。Ｆｓｕｂｂａｎｄ−ＣＱＩ（ｕ）＝１のとき、ＵＥｕはＳｕｂｂａｎｄ−ＣＱＩを送信する。Ｆｓｕｂｂａｎｄ−ＣＱＩ（ｕ）＝０のとき、ＵＥｕはＳｕｂｂａｎｄ−ＣＱＩを送信しない。
（８）Ｋ（ｕ）：Ｓｕｂｂａｎｄ−ＣＱＩを送信する場合、各Ｂａｎｄｗｉｄｔｈ  ＰａｒｔのＳｕｂｂａｎｄ−ＣＱＩの送信繰り返し回数。
２．基地局のＣＱＩ／ＰＭＩ／ＲＩフィードバック信号に関連する情報
（１）ΔｓｈｉｆｔＰＵＣＣＨ：ＰＵＣＣＨ  ｆｏｒｍａｔ１用のサイクリックシフトのオフセット値。ＬＴＥの仕様では、ＰＵＣＣＨ  ｆｏｒｍａｔ１を利用して、下りリンクデータ送信のＡｃｋｎｏｗｌｅｄｇｅをフィードバックする。
（２）ＮＰＵＣＣＨ（１）：ｎＰＵＣＣＨ（１）を求める際に必要な定数。
（３）ＮＣＳ（１）：ＰＵＣＣＨ  ｆｏｒｍａｔ１とＰＵＣＣＨ  ｆｏｒｍａｔ２をミックスして送信するＲＢに多重するＰＵＣＣＨ  ｆｏｒｍａｔ１用のサイクリックシフト数。ＮＣＳ（１）＝０のとき、ＰＵＣＣＨ  ｆｏｒｍａｔ１とＰＵＣＣＨ  ｆｏｒｍａｔ２をミックスして送信するＲＢがない。ＮＣＳ（１）は、ΔｓｈｉｆｔＰＵＣＣＨの整数倍であり、０〜７である。
（４）ＮＲＢ（２）：ＰＵＣＣＨ  ｆｏｒｍａｔ２用ＲＢ数。
（５）Ｎｋ：システムサポートするｋ番目のＣＱＩ／ＰＭＩ送信周期決定時のＵＥ数に係る閾値。
（６）x％：システムサポートするｋ番目のＣＱＩ／ＰＭＩ送信周期決定時のＵＥの割合に係る閾値。
（７）ＶＫ：システムサポートするｋ番目のＣＱＩ／ＰＭＩ送信周期決定時のＵＥ数に係る移動速度の閾値。
【先行技術文献】
【非特許文献】
【０００５】
【非特許文献１】３ＧＰＰ  ＴＳ  ３６．２１１  Ｖ８．７．０  （２００９−５）
【非特許文献２】３ＧＰＰ  ＴＳ  ３６．２１３  Ｖ８．７．０  （２００９−５）
【発明の概要】
【発明が解決しようとする課題】
【０００６】
しかしながら、ＵＥ毎のフィードバック信号に係る関連パラメータは、基地局側において決定された後、上位層のコントロールメッセージ（LTEでは、Radio Resource Controlにおけるメッセージである。以下、ＲＲＣ通知メッセージと称する)を用いて各ＵＥのそれぞれに通知されるため、基地局から大量のＲＲＣ通知メッセージが出力される場合がある。そのため、関連パラメータの通知に多くの無線リソースが消費され、データ通信（ユーザデータ）に割り当てる無線リソースが少なくなるという問題がある。換言すれば、関連パラメータの通知に起因し、周波数利用効率が低下してしまうという問題がある。
【０００７】
本発明は、このような事情に鑑みてなされたものであり、ＬＴＥのＣＱＩ／ＰＭＩ／ＲＩフィードバックに関する仕様（例えば、非特許公報文献1、２参照)に基づき、フィードバック信号に係る関連パラメータの通知に起因する周波数利用効率低下を抑制する技術を提供することを目的とする。
【課題を解決するための手段】
【０００８】
上記問題を解決するために、本発明の一態様である信号割当装置は、移動局端末から基地局に送信されるフィードバック信号に係る関連パラメータを割り当てる信号割当装置において、移動局端末の推定ドップラ周波数、コヒーレンス時間決定用の係数、および、前記フィードバック信号に割り当てるリソースブロックの上限値を取得する入力情報制御部と、前記入力情報制御部によって取得された前記推定ドップラ周波数、前記係数、および、前記上限値に応じて、前記フィードバック信号の送信周期、前記フィードバック信号に割り当てる送信サブフレームのオフセット、各Ｂａｎｄｗｉｄｔｈ  ＰａｒｔのＳｕｂｂａｎｄ−ＣＱＩの送信繰り返し回数、および、前記フィードバック信号に使われるサイクリックシフトのインデックスを前記フィードバック信号に係る関連パラメータとして移動局端末毎に決定するフィードバック信号割当決定部とを備え、前記フィードバック信号割当決定部は、今回決定した前記フィードバック信号の送信周期が前回決定した前記フィードバック信号の送信周期と同一であり、かつ、今回決定した前記送信繰り返し回数が前回決定した前記送信繰り返し回数と同一である移動局端末に対して、前回決定した前記フィードバック信号に係る関連パラメータを今回の前記フィードバック信号に係る関連パラメータとして決定することを特徴とする。
【０００９】
上記信号割当装置において、前記フィードバック信号割当決定部は、割当可能な前記フィードバック信号に係る関連パラメータの組合せを要素とする集合であって、今回決定した前記フィードバック信号の送信周期が前回決定した前記フィードバック信号の送信周期と同一であり、かつ、今回決定した前記送信繰り返し回数が前回決定した前記送信繰り返し回数と同一である移動局端末に係る、前回決定した前記フィードバック信号に使われるサイクリックシフトのインデックス、前回決定した前記フィードバック信号の送信周期、および、前回決定した前記フィードバック信号に割り当てる送信サブフレームのオフセット以外のオフセットの組合せを要素とする集合の中から優先して、今回決定した前記フィードバック信号の送信周期が前回決定した前記フィードバック信号の送信周期と異なるか、もしくは、今回決定した前記送信繰り返し回数が前回決定した前記送信繰り返し回数と異なる移動局端末に対して、今回の前記フィードバック信号に係る関連パラメータを割り当てることを特徴とする。
【００１０】
上記信号割当装置において、前記フィードバック信号割当決定部は、前記集合内に割当可能な前記フィードバック信号に係る関連パラメータが存在しない場合、今回決定した前記フィードバック信号の送信周期が前回決定した前記フィードバック信号の送信周期と異なるか、もしくは、今回決定した前記送信繰り返し回数が前回決定した前記送信繰り返し回数と異なる移動局端末に対して、移動局端末に決定した前記フィードバック信号の送信周期を更新して、前記フィードバック信号に係る関連パラメータを割り当てることを特徴とする。
【００１１】
上記信号割当装置において、前記フィードバック信号割当決定部は、移動局端末のＳＲＳ送信サブフレームと重ならないように前記フィードバック信号に割り当てる送信サブフレームのオフセットを決定することを特徴とする。
【００１２】
上記信号割当装置において、前記フィードバック信号割当決定部は、サブバンドＣＱＩを送信する場合、各Ｂａｎｄｗｉｄｔｈ  ＰａｒｔのＳｕｂｂａｎｄ−ＣＱＩの送信繰り返し回数を固定して、前記フィードバック信号に係る関連パラメータを決定することを特徴とする。
【００１３】
上記信号割当装置において、前記フィードバック信号割当決定部は、前記フィードバック信号に係る関連パラメータを決定する全移動局端末の前記フィードバック信号の送信周期を同じ値に設定し、各移動局端末の移動速度に基づいて、サブバンドＣＱＩを送信する場合の各Ｂａｎｄｗｉｄｔｈ  ＰａｒｔのＳｕｂｂａｎｄ−ＣＱＩの送信繰り返し回数を決定して、前記フィードバック信号に係る関連パラメータを決定することを特徴とする。
【００１４】
上記信号割当装置において、前記フィードバック信号割当決定部は、前記フィードバック信号に割り当てる送信サブフレームのオフセットが増加する順を第１キーとして、前記フィードバック信号に使われるサイクリックシフトのインデックスが増加する順を第２キーとして、前記フィードバック信号に係る関連パラメータを決定することを特徴とする。
【００１５】
上記問題を解決するために、本発明の他の態様である信号割当方法は、移動局端末から基地局に送信されるフィードバック信号に係る関連パラメータを割り当てる信号割当方法において、移動局端末の推定ドップラ周波数、コヒーレンス時間決定用の係数、および、前記フィードバック信号に割り当てるリソースブロックの上限値を取得する入力情報制御ステップと、前記入力情報制御ステップによって取得された前記推定ドップラ周波数、前記係数、および、前記上限値に応じて、前記フィードバック信号の送信周期、前記フィードバック信号に割り当てる送信サブフレームのオフセット、各Ｂａｎｄｗｉｄｔｈ  ＰａｒｔのＳｕｂｂａｎｄ−ＣＱＩの送信繰り返し回数、および、前記フィードバック信号に使われるサイクリックシフトのインデックスを前記フィードバック信号に係る関連パラメータとして移動局端末毎に決定するフィードバック信号割当決定ステップとを備え、前記フィードバック信号割当決定ステップは、今回決定した前記フィードバック信号の送信周期が、前回決定した前記フィードバック信号の送信周期と同一であり、かつ、今回決定した前記送信繰り返し回数が前回決定した前記送信繰り返し回数と同一である移動局端末に対して、前回決定した前記フィードバック信号に係る関連パラメータを今回の前記フィードバック信号に係る関連パラメータとして決定することを特徴とする。
【００１６】
上記問題を解決するために、本発明の他の態様であるプログラムは、移動局端末から基地局に送信されるフィードバック信号に係る関連パラメータを割り当てる信号割当装置のコンピュータに、移動局端末の推定ドップラ周波数、コヒーレンス時間決定用の係数、および、前記フィードバック信号に割り当てるリソースブロックの上限値を取得する入力情報制御ステップと、前記入力情報制御ステップによって取得された前記推定ドップラ周波数、前記係数、および、前記上限値に応じて、前記フィードバック信号の送信周期、前記フィードバック信号に割り当てる送信サブフレームのオフセット、各Ｂａｎｄｗｉｄｔｈ  ＰａｒｔのＳｕｂｂａｎｄ−ＣＱＩの送信繰り返し回数、および、前記フィードバック信号に使われるサイクリックシフトのインデックスを前記フィードバック信号に係る関連パラメータとして移動局端末毎に決定するフィードバック信号割当決定ステップとを実行させるプログラムであって、前記フィードバック信号割当決定ステップは、今回決定した前記フィードバック信号の送信周期が、前回決定した前記フィードバック信号の送信周期と同一であり、かつ、今回決定した前記送信繰り返し回数が前回決定した前記送信繰り返し回数と同一である移動局端末に対して、前回決定した前記フィードバック信号に係る関連パラメータを今回の前記フィードバック信号に係る関連パラメータとして決定することを特徴とする。
【発明の効果】
【００１７】
本発明によれば、フィードバック信号の送信周期Ｎｐ（ｕ）が前回と同じであり、かつ、各Ｂａｎｄｗｉｄｔｈ  ＰａｒｔのＳｕｂｂａｎｄ−ＣＱＩの送信繰り返し回数Ｋ（ｕ）が前回と同じであるＵＥについては、前回決定した関連パラメータを今回の関連パラメータとして決定するため、当該ＵＥに対しては、再度、ＲＲＣメッセージを用いて今回決定した関連パラメータを通知する必要がなくなる。従って、本発明によれば、ＲＲＣメッセージの通知量を削減することが可能になるため、フィードバック信号に係る関連パラメータの通知に起因する周波数利用効率低下を抑制することができるようになる。
【図面の簡単な説明】
【００１８】
【図１】本発明の一実施形態による信号割当装置１０の機能ブロック図である。
【図２】信号割当装置１０の機能を説明するための模式図である。
【図３】信号割当装置１０の動作の一例を示すフローチャートである。
【図４】信号割当装置１０の動作の一例を示すフローチャートである。
【図５】信号割当装置１０の動作の一例を示すフローチャートである。
【図６】信号割当装置１０の動作の一例を示すフローチャートである。
【図７】信号割当装置１０の機能を説明するための模式図である。
【図８】信号割当装置１０の動作の一例を示すフローチャートである。
【図９】信号割当装置１０の動作の一例を示すフローチャートである。
【図１０】信号割当装置１０の動作の一例を示すフローチャートである。
【図１１】信号割当装置１０の動作の一例を示すフローチャートである。
【図１２】信号割当装置１０の動作の一例を示すフローチャートである。
【図１３】信号割当装置１０の動作の一例を示すフローチャートである。
【図１４】信号割当装置１０の動作の一例を示すフローチャートである。
【図１５】信号割当装置１０の動作の一例を示すフローチャートである。
【図１６】信号割当装置１０の動作の一例を示すフローチャートである。
【発明を実施するための形態】
【００１９】
以下、本発明の一実施形態について図面を参照して説明する。本発明の一実施形態による信号割当装置１０を適用した基地局装置１は、上りリンクと下りリンクが周波数分割複信する無線通信システム、例えば、図１に示すように、ＰＵＣＣＨ（Physical Uplink Control Channel）を用いてＵＥ２から送信されるフィードバック信号（ＣＱＩ／ＰＭＩ／ＲＩフィードバック信号）によって制御される移動通信システムの基地局内に設置される。信号割当装置１０（基地局装置１）は、入力情報制御部１００、フィードバック信号割当決定部１１０およびフィードバック信号受信部１２０を備える。なお、便宜上、図１では、ＵＥ２を１つ記載しているが、基地局装置１は、通常、２以上の各ＵＥ２からフィードバック信号を受信する。
【００２０】
入力情報制御部１００は、ＵＥに係る情報および基地局に係る情報を取得（収集、管理）する。入力情報制御部１００が取得する情報は以下の通りである。
１．ＵＥに係る情報
（１）ｆＤ（ｕ）：基地局で推定した各ＵＥの最大ドップラ周波数。
（２）ＵＥのカテゴリー（ＭＩＭＯサポートする端末カテゴリーは２〜５である）。
２．基地局に係る情報（オペレータによって設定される）
（１）Ｃ：コヒーレンス時間決定用の係数(コヒーレンス時間内に、チャネルの変動がないと仮定する)。
（２）ＮＲＢ（２）（ｍａｘ）：オペレータが指定したＰＵＣＣＨ  ｆｏｒｍａｔ２用のＲＢ数の上限値（データ送信の周波数利用効率を確保するために、制御ＣＨの周波数について制約をかける）。
（３）ＺＣＱＩ：ＬＴＥがサポートするＣＱＩ／ＰＭＩ送信周期の集合｛２ｍｓ、５ｍｓ、１０ｍｓ、２０ｍｓ、３２ｍｓ、４０ｍｓ、６４ｍｓ、８０ｍｓ、１２８ｍｓ、１６０ｍｓ｝。
（４）ＺＷ−ＣＱＩ：集合ＺＣＱＩに対してＳｕｂｂａｎｄ−ＣＱＩをサポートする場合のＷｉｄｅｂａｎｄ  ＣＱＩの最小送信周期の集合。集合ＺＷ−ＣＱＩの各要素は、集合ＺＣＱＩの各要素に（Ｊ＋１）を乗じたものである。
（５）Ｊ：システム帯域により決めるＢａｎｄｗｉｄｔｈ  Ｐａｒｔ数である。
（６）ΔｓｈｉｆｔＰＵＣＣＨ：ＰＵＣＣＨ  ｆｏｒｍａｔ１用のサイクリックシフトのオフセット値。
（７）ΔＴＣＱＩ／ＲＩ／ＰＭＩ：ＰＵＣＣＨを用いたＣＱＩ／ＲＩ／ＰＭＩの送信制御を行う周期。
（８）Ｎｋ：システムサポートするｋ番目のＣＱＩ／ＰＭＩ送信周期決定時のＵＥ数に係る閾値。
（９）x％：システムサポートするｋ番目のＣＱＩ／ＰＭＩ送信周期決定時のＵＥの割合に係る閾値。
（１０）ＶＫ：システムサポートするｋ番目のＣＱＩ／ＰＭＩ送信周期決定時のＵＥ数に係る移動速度の閾値。
【００２１】
フィードバック信号割当決定部１１０は、入力情報制御部１００によって取得された情報に基づいて、フィードバック信号の送信周期（Ｎｐ（ｕ））、フィードバック信号に割り当てる送信サブフレームのオフセット（Ｎｏｆｆｓｅｔ，ＣＱＩ（ｕ））、フィードバック信号に使われるサイクリックシフトのインデックス（ｎＰＵＣＣＨ（２）（ｕ））などのＵＥ毎のＣＱＩ／ＰＭＩ／ＲＩフィードバック信号に係る関連パラメータをＵＥ２毎に決定する。当該決定において、フィードバック信号割当決定部１１０は、今回決定したフィードバック信号の送信周期（Ｎｐ（ｕ））が、前回決定したフィードバック信号の送信周期（Ｎｐ（ｕ））と同一であり、かつ、今回決定した各Ｂａｎｄｗｉｄｔｈ  ＰａｒｔのＳｕｂｂａｎｄ−ＣＱＩの送信繰り返し回数Ｋ（ｕ）が前回決定した送信繰り返し回数Ｋ（ｕ）と同一であるＵＥ２については、前回決定したフィードバック信号に係る関連パラメータを今回のフィードバック信号に係る関連パラメータとして決定する。
【００２２】
なお、フィードバック信号割当決定部１１０は、図２に示すように、ＣＱＩ／ＲＩ／ＰＭＩの送信制御周期（ΔＴＣＱＩ／ＲＩ／ＰＭＩ）毎に、フィードバック信号に係る関連パラメータを決定してもよい。なお、フィードバック信号割当決定部１１０は、ＣＱＩ／ＲＩ／ＰＭＩの送信制御周期を入力情報制御部１００から取得する。
【００２３】
フィードバック信号に係る関連パラメータを決定したフィードバック信号割当決定部１１０は、関連パラメータの決定した全ＵＥ２のうち、今回決定したフィードバック信号の送信周期（Ｎｐ（ｕ））が前回決定したフィードバック信号の送信周期（Ｎｐ（ｕ））と異なるか、もしくは、今回決定した各Ｂａｎｄｗｉｄｔｈ  ＰａｒｔのＳｕｂｂａｎｄ−ＣＱＩの送信繰り返し回数Ｋ（ｕ）が前回決定した送信繰り返し回数Ｋ（ｕ）と異なるＵＥ２、即ち、前回決定したフィードバック信号に係る関連パラメータを今回のフィードバック信号に係る関連パラメータとして決定しなかった各ＵＥ２に対しては、RRC通知メッセージを利用して各ＵＥ２の関連パラメータの決定結果（割当結果）を通知する。
【００２４】
一方、フィードバック信号割当決定部１１０は、関連パラメータの決定した全ＵＥ２のうち、今回決定したフィードバック信号の送信周期（Ｎｐ（ｕ））が前回決定したフィードバック信号の送信周期（Ｎｐ（ｕ））と同一であり、かつ、今回決定した各Ｂａｎｄｗｉｄｔｈ  ＰａｒｔのＳｕｂｂａｎｄ−ＣＱＩの送信繰り返し回数Ｋ（ｕ）が前回決定した送信繰り返し回数Ｋ（ｕ）と同一であるＵＥ２、即ち、前回決定したフィードバック信号に係る関連パラメータを今回のフィードバック信号に係る関連パラメータとして決定した各ＵＥ２に対しては、各ＵＥ２の関連パラメータの決定結果（割当結果）を通知しない。当該各ＵＥ２に対しは、今回の決定結果（割当結果）を既に通知しているからである。
【００２５】
また、フィードバック信号に係る関連パラメータを決定したフィードバック信号割当決定部１１０は、関連パラメータを決定した全ＵＥ２の割当結果をフィードバック信号受信部１２０に供給する。なお、フィードバック信号割当決定部１１０は、基地局装置１のスケジューラの機能の一部分とみなしてもよい。
【００２６】
なお、ＵＥ２（フィードバック信号送信部２００）は、基地局装置１（信号割当装置１０のフィードバック信号割当決定部１１０）から取得した最新の割当結果（最後に取得した割当結果）に基づいて、フィードバック信号（ＣＱＩ／ＰＭＩ／ＲＩフィードバック信号）を基地局装置１（信号割当装置１０のフィードバック信号受信部１２０）に送信する。
【００２７】
また、フィードバック信号割当決定部１１０は、フィードバック信号に使われるサイクリックシフトのインデックス（ｎＰＵＣＣＨ（２）（ｕ））、フィードバック信号の送信周期（Ｎｐ（ｕ））、および、フィードバック信号に割り当てる送信サブフレームのオフセット（Ｎｏｆｆｓｅｔ，ＣＱＩ（ｕ））を要素とする集合（以下、「集合ｓｕ」という）を利用して、フィードバック信号に係る関連パラメータを決定するようにしてもよい。例えば、フィードバック信号割当決定部１１０は、割当可能なフィードバック信号に係る関連パラメータの組合せを要素とする集合であって、今回決定したフィードバック信号の送信周期が前回決定したフィードバック信号の送信周期と同一であり、かつ、今回決定した各Ｂａｎｄｗｉｄｔｈ  ＰａｒｔのＳｕｂｂａｎｄ−ＣＱＩの送信繰り返し回数Ｋ（ｕ）が前回決定した送信繰り返し回数Ｋ（ｕ）と同一であるＵＥ２に係る、前回決定したフィードバック信号に使われるサイクリックシフトのインデックス、前回決定したフィードバック信号の送信周期、および、前回決定したフィードバック信号に割り当てる送信サブフレームのオフセット以外のオフセットの組合せを要素とする集合ｓｕを記憶し、今回決定したフィードバック信号の送信周期が前回決定したフィードバック信号の送信周期と異なるか、もしくは、今回決定した各Ｂａｎｄｗｉｄｔｈ  ＰａｒｔのＳｕｂｂａｎｄ−ＣＱＩの送信繰り返し回数Ｋ（ｕ）が前回決定した送信繰り返し回数Ｋ（ｕ）と異なるＵＥ２に対しては、集合ｓｕの中から優先して、今回のフィードバック信号に係る関連パラメータを割り当てるようにしてもよい。
【００２８】
また、フィードバック信号割当決定部１１０は、集合ｓｕに基づいて、フィードバック信号に係る関連パラメータを決定するようにしてもよい。例えば、フィードバック信号割当決定部１１０は、集合ｓｕの初期化を実施した後、今回決定したフィードバック信号の送信周期が前回決定したフィードバック信号の送信周期と同一であり、かつ、今回決定した各Ｂａｎｄｗｉｄｔｈ  ＰａｒｔのＳｕｂｂａｎｄ−ＣＱＩの送信繰り返し回数Ｋ（ｕ）が前回決定した送信繰り返し回数Ｋ（ｕ）と同一であるＵＥ２に対して、集合ｓｕの更新を行う。また、今回決定したフィードバック信号の送信周期が前回決定したフィードバック信号の送信周期と異なるか、もしくは、今回決定した各Ｂａｎｄｗｉｄｔｈ  ＰａｒｔのＳｕｂｂａｎｄ−ＣＱＩの送信繰り返し回数Ｋ（ｕ）が前回決定した送信繰り返し回数Ｋ（ｕ）と異なるＵＥ２に対して、更新した集合ｓｕに基づき、今回のフィードバック信号に係る関連パラメータを割り当てるようにしてもよい。
【００２９】
また、フィードバック信号割当決定部１１０は、各ＵＥ２のＳＲＳ送信サブフレームと重ならないように各ＵＥのフィードバック信号に割り当てる送信サブフレームのオフセット（Ｎｏｆｆｓｅｔ，ＣＱＩ（ｕ））を決定することが好ましい。
【００３０】
また、フィードバック信号割当決定部１１０は、サブバンドＣＱＩを送信する場合、各Ｂａｎｄｗｉｄｔｈ  ＰａｒｔのＳｕｂｂａｎｄ−ＣＱＩの送信繰り返し回数（Ｋ（ｕ））を固定して、フィードバック信号の送信周期を決定してから、フィードバック信号に係る関連パラメータを決定してもよい。
【００３１】
また、フィードバック信号割当決定部１１０は、フィードバック信号に係る関連パラメータを決定する全ＵＥのフィードバック信号の送信周期（Ｎｐ（ｕ））を同じ値に設定し、各ＵＥの移動速度に基づいて、サブバンドＣＱＩを送信する場合の各Ｂａｎｄｗｉｄｔｈ  ＰａｒｔのＳｕｂｂａｎｄ−ＣＱＩの送信繰り返し回数（Ｋ（ｕ））を決定して、フィードバック信号に係る関連パラメータを決定してもよい。
【００３２】
また、フィードバック信号割当決定部１１０は、更新した集合ｓｕの中から、フィードバック信号に割り当てる送信サブフレームのオフセット（Ｎｏｆｆｓｅｔ，ＣＱＩ（ｕ））が増加する順を第１キーとして、フィードバック信号に使われるサイクリックシフトのインデックス（ｎＰＵＣＣＨ（２）（ｕ））が増加する順を第２キーとして、フィードバック信号に係る関連パラメータを決定してもよい。
【００３３】
即ち、フィードバック信号割当決定部１１０は、更新した集合ｓｕの中から、まず、フィードバック信号に割り当てる送信サブフレームのオフセット（Ｎｏｆｆｓｅｔ，ＣＱＩ（ｕ））の値を決定（例えば、最小値）し、当該決定したフィードバック信号に割り当てる送信サブフレームのオフセット（Ｎｏｆｆｓｅｔ，ＣＱＩ（ｕ））の値において、フィードバック信号に使われるサイクリックシフトのインデックス（ｎＰＵＣＣＨ（２）（ｕ））の値を順次増加して、各ＵＥのフィードバック信号に係る関連パラメータを決定し、フィードバック信号に使われるサイクリックシフトのインデックス（ｎＰＵＣＣＨ（２）（ｕ））の値が最大値（ＮＲＢ（２）（ｍａｘ）×ＮＳＣＲＢ、但し、ＮＳＣＲＢは１ＲＢ当たりのサイクリックシフトのインデックス数である）になった場合には、フィードバック信号に割り当てる送信サブフレームのオフセット（Ｎｏｆｆｓｅｔ，ＣＱＩ（ｕ））の値を増加し、同様に、フィードバック信号に使われるサイクリックシフトのインデックス（ｎＰＵＣＣＨ（２）（ｕ））の値を順次増加して、フィードバック信号に係る関連パラメータを決定してもよい。
【００３４】
続いて、図３を用いて信号割当装置１０（フィードバック信号割当決定部１１０）によるＣＱＩ／ＰＭＩ／ＲＩフィードバック信号の送信制御手順を説明する。
【００３５】
図３において、フィードバック信号割当決定部１１０は、入力情報制御部１００から取得した各ＵＥについて推定した最大ドップラ周波数ｆＤ（ｕ）を用いて、ＣＱＩ／ＰＭＩ送信周期に係る各初期値を決定する（ステップＳ１００）。このとき、フィードバック信号割当決定部１１０は、各ＵＥについて、各Ｂａｎｄｗｉｄｔｈ  ＰａｒｔのＳｕｂｂａｎｄ−ＣＱＩの送信繰り返し回数Ｋ（ｕ）も決定する。なお、フィードバック信号割当決定部１１０は、ステップＳ１００に代えて、ステップＳ１１０の処理を実行してもよい。なお、ステップＳ１００およびステップＳ１１０の処理の詳細は、後述する（図４乃至図８）。
【００３６】
ステップＳ１００に続いて、フィードバック信号割当決定部１１０は、集合ｓｕを初期化する（ステップＳ１２０）。集合ｓｕは、３つの要素ｇｆ，ｇｐ，ｇｏの組合せ｛ｇｆ，ｇｐ，ｇｏ｝を要素に持つ（以下、集合ｓｕ｛ｇｆ，ｇｐ，ｇｏ｝と表記する）。ｇｆは、ＰＵＣＣＨ  ｆｏｒｍａｔ２のＣｙｃｌｉｃ  ｓｈｉｆｔのＩＤである。ｇｐは、ＰＵＣＣＨ  ｆｏｒｍａｔ２のＣｙｃｌｉｃ  ｓｈｉｆｔのＩＤを付与したＵＥの最長ＣＱＩ／ＰＭＩ送信周期である。ｇｏは、まだＵＥに付与していないＣＱＩ／ＰＭＩ送信時間Ｏｆｆｓｅｔである。また、ＭＩＭＯサポートするＵＥに対して、Ｎｏｆｆｓｅｔ，ＲＩ（ｕ）≠０である場合、「ｑ＝ＣＱＩ／ＰＭＩ送信時間Ｏｆｆｓｅｔ（Ｎｏｆｆｓｅｔ，ＣＱＩ（ｕ））＋ＲＩの送信時間Ｏｆｆｓｅｔ（Ｎｏｆｆｓｅｔ，ＲＩ（ｕ））」とする。
次いで、フィードバック信号割当決定部１１０は、決定したＣＱＩ／ＰＭＩ送信周期（Ｎｐ（ｕ））の初期値が前回（最新）のＣＱＩ／ＰＭＩ送信周期と同一であり、かつ、今回決定した各Ｂａｎｄｗｉｄｔｈ  ＰａｒｔのＳｕｂｂａｎｄ−ＣＱＩの送信繰り返し回数Ｋ（ｕ）が前回決定した送信繰り返し回数Ｋ（ｕ）と同一であるＵＥ（以下、コピー対象ＵＥと称する）が存在するか否かを判断する（ステップＳ１３０）。フィードバック信号割当決定部１１０は、コピー対象ＵＥが存在すると判断した場合（ステップＳ１３０：Ｙｅｓ）、コピー対象ＵＥを対象に、前回のフィードバック信号に係る関連パラメータ（ＣＱＩ／ＲＩ／ＰＭＩ送信制御情報）をコピーし、集合ｓｕを更新する（ステップＳ１６０）。なお、ステップＳ１６０の処理の詳細は、後述する（図９）。
【００３７】
コピー対象ＵＥが存在しないと判断した場合（ステップＳ１３０：Ｎｏ）、または、ステップＳ１６０に続いて、フィードバック信号割当決定部１１０は、フィードバック信号に係る関連パラメータを割り当てる対象のＵＥのうち、コピー対象ＵＥ以外のＵＥ（以下、更新対象ＵＥと称する）を対象に、更新された集合ｓｕに基づき、送信制御情報（フィードバック信号に係る関連パラメータ）を決定する（ステップＳ２００）。また、送信制御情報の決定は、更新対象ＵＥのＣＱＩ／ＰＭＩ送信周期の初期値の昇順に実施する。また、当該処理において、Ｎｏｆｆｓｅｔ，ＲＩ（ｕ）≠０とする。なお、ステップＳ２００の処理の詳細は、後述する後述する（図１０乃至図１４）。
【００３８】
次いで、フィードバック信号割当決定部１１０は、集合ｓｕが空集合となるか、もしくは、更新対象ＵＥの全てに対して送信制御情報の割当完了となった場合に、ＣＱＩ／ＰＭＩ送信制御情報の決定を終了し、割当済みの全対象ＵＥ（コピー対象ＵＥと更新対象ＵＥ）のＣＱＩ／ＰＭＩ送信制御情報を出力する（ステップＳ８００）。
【００３９】
続いて、図４乃至図７を用いて上記ステップＳ１００の処理の詳細を説明する。図４において、フィードバック信号割当決定部１１０は、ＣＱＩ／ＲＩ／ＰＭＩ送信制御対象となるＵＥに対して、初期値として、Ｎｐ（ｕ）＝２をセットする（ステップＳ１０１）。次いで、フィードバック信号割当決定部１１０は、対象とするＵＥ（以下、「対象ＵＥ」という）を選択し（ステップＳ１０２）、初期値として、Ｆａｐｅｒｉｏｄｉｃ（ｕ）＝０，Ｆｓｕｂｂａｎｄ‐ＣＱＩ（ｕ）＝１をセットする（ステップＳ１０３）。つまり、フィードバック信号割当決定部１１０は、ＵＥｕがＰＵＳＣＨを用いてＡｐｅｒｉｏｄｉｃ−ＣＱＩを送信しない旨、ＵＥｕがＵＥｕはＳｕｂｂａｎｄ−ＣＱＩを送信する旨を設定する。
【００４０】
次いで、フィードバック信号割当決定部１１０は、Ｃ／ｆＤ（ｕ）＋４＜（Ｊ＋１）×２であるか否かを判断する（ステップＳ１０４）。但し、Ｊはシステム帯域により決めるＢａｎｄｗｉｄｔｈ  Ｐａｒｔ数である。
【００４１】
フィードバック信号割当決定部１１０は、Ｃ／ｆＤ（ｕ）＋４＜（Ｊ＋１）×２であると判断した場合（ステップＳ１０４：Ｙｅｓ）、後述する処理１を実行する（ステップＳ１０００）。一方、フィードバック信号割当決定部１１０は、Ｃ／ｆＤ（ｕ）＋４＜（Ｊ＋１）×２でないと判断した場合（ステップＳ１０４：Ｎｏ）、後述する処理２を実行する（ステップＳ１１００）。
【００４２】
フィードバック信号割当決定部１１０は、他の対象ＵＥについても同様の処理（ステップＳ１０３〜ステップＳ１１００）を実行し、本フローチャートは終了する。
【００４３】
続いて、図５を用いて処理１（上記ステップＳ１０００の処理）の詳細を説明する。図５において、フィードバック信号割当決定部１１０は、Ｆｓｕｂｂａｎｄ‐ＣＱＩ（ｕ）＝０をセットする（ステップＳ１００２）。つまり、フィードバック信号割当決定部１１０は、ＵＥｕがＵＥｕはＳｕｂｂａｎｄ−ＣＱＩを送信しない旨を設定する。次いで、フィードバック信号割当決定部１１０は、Ｃ／ｆＤ（ｕ）＋４＜５であるか否かを判断する（ステップＳ１００４）。
【００４４】
フィードバック信号割当決定部１１０は、Ｃ／ｆＤ（ｕ）＋４＜５であると判断した場合（ステップＳ１００４：Ｙｅｓ）、Ｎｐ（ｕ）＝２ｍｓをセットする（ステップＳ１００６）。ステップＳ１００６に続いて、フィードバック信号割当決定部１１０は、選択したＵＥ（つまり対象ＵＥ）のＳＲＳ信号送信周期が５ｍｓであるか否かを判断する（ステップＳ１００８）。フィードバック信号割当決定部１１０は、選択したＵＥのＳＲＳ信号送信周期が５ｍｓであると判断した場合（ステップＳ１００８：Ｙｅｓ）、Ｎｐ（ｕ）＝５ｍｓをセットする（ステップＳ１０１０）。次いで、フィードバック信号割当決定部１１０は、Ｆａｐｅｒｉｏｄｉｃ（ｕ）＝１をセットする（ステップＳ１０１２）。つまり、フィードバック信号割当決定部１１０は、ＵＥｕがＰＵＳＣＨを用いてＡｐｅｒｉｏｄｉｃ−ＣＱＩを送信する旨を設定する。なお、ａｐｅｒｉｏｄｉｃ−ＣＱＩの仕様は別途決めるものとする。そして本フローチャートは終了する。一方、フィードバック信号割当決定部１１０は、選択したＵＥのＳＲＳ信号送信周期が５ｍｓでないと判断した場合（ステップＳ１００８：Ｎｏ）、ステップＳ１０１０およびステップＳ１０１２を飛ばして、本フローチャートは終了する。
【００４５】
一方、フィードバック信号割当決定部１１０は、Ｃ／ｆＤ（ｕ）＋４＜５でないと判断した場合（ステップＳ１００４：Ｎｏ）、Ｎｐ（ｕ）＝５をセットする（ステップＳ１０１６）。ステップＳ１０１６に続いて、フィードバック信号割当決定部１１０は、選択したＵＥのＳＲＳ信号送信周期が２ｍｓであるか否かを判断する（ステップＳ１０１８）。フィードバック信号割当決定部１１０は、選択したＵＥのＳＲＳ信号送信周期が２ｍｓであると判断した場合（ステップＳ１０１８：Ｙｅｓ）、Ｎｐ（ｕ）＝２をセットする（ステップＳ１０２０）。そして本フローチャートは終了する。一方、フィードバック信号割当決定部１１０は、選択したＵＥのＳＲＳ信号送信周期が２ｍｓでないと判断した場合（ステップＳ１０１８：Ｎｏ）、ステップＳ１０２０を飛ばして、本フローチャートは終了する。
【００４６】
続いて、図６を用いて処理２（上記ステップＳ１１００の処理）の詳細を説明する。図６において、フィードバック信号割当決定部１１０は、Ｋ（ｕ）＝１をセットする（ステップＳ１１０２）。次いで、フィードバック信号割当決定部１１０は、ＺＷ−ＣＱＩ（ｋ）≦Ｃ／ｆＤ（ｕ）＋４＜ＺＷ−ＣＱＩ（ｋ＋１）を満足するｋが存在するか否かを判断する（ステップＳ１１０４）。なお、集合ＺＣＱＩは、システムがサポートするＮＰの集合であって、ＺＣＱＩ＝｛２，５，１０，２０，３２，４０，６４，８０，１２８，１６０｝（単位：ｍｓ）である。集合ＺＷ−ＣＱＩは、集合ＺＣＱＩに対して、Ｓｕｂｂａｎｄ−ＣＱＩをサポートする場合のＷｉｄｅｂａｎｄ  ＣＱＩの最小送信周期の集合であって、集合ＺＷ−ＣＱＩ＝｛２，５，１０，２０，３２，４０，６４，８０，１２８，１６０｝×（Ｊ＋１）（単位：ｍｓ）である。ＺＣＱＩ（ｋ）は集合ＺＣＱＩのｋ番目の値である。例えば、ＺＣＱＩ（１）は２ｍｓ、ＺＣＱＩ（２）は５ｍｓである。ＺＷ−ＣＱＩ（ｋ）は集合ＺＷ−ＣＱＩのｋ番目の値である。例えば、Ｊ＝３の場合、ＺＷ−ＣＱＩ（１）は８ｍｓ、ＺＣＱＩ（２）は２０ｍｓである。
【００４７】
フィードバック信号割当決定部１１０は、ＺＷ−ＣＱＩ（ｋ）≦Ｃ／ｆＤ（ｕ）＋４＜ＺＷ−ＣＱＩ（ｋ＋１）を満足するｋが存在しないと判断した場合（ステップＳ１１０４：Ｎｏ）、Ｎｐ（ｕ）＝１６０をセットする（ステップＳ１１０５）。一方、フィードバック信号割当決定部１１０は、ＺＷ−ＣＱＩ（ｋ）≦Ｃ／ｆＤ（ｕ）＋４＜ＺＷ−ＣＱＩ（ｋ＋１）を満足するｋが存在すると判断した場合（ステップＳ１１０４：Ｙｅｓ）、Ｎｐ（ｕ）＝ＺＣＱＩ（ｋ）をセットする（ステップＳ１１０６）。ステップＳ１１０６に続いて、フィードバック信号割当決定部１１０は、ＮＰ（ｕ）≠ＳＲＳ送信周期、かつ、ＳＲＳ信号送信周期＝５であるか否かを判断する（ステップＳ１１０８）。
【００４８】
フィードバック信号割当決定部１１０は、ＮＰ（ｕ）≠ＳＲＳ送信周期、かつ、ＳＲＳ信号送信周期＝５であると判断した場合（ステップＳ１１０８：Ｙｅｓ）、ＮＰ（ｕ）＝２であるか否かを判断する（ステップＳ１１１０）。
【００４９】
一方、フィードバック信号割当決定部１１０は、ＮＰ（ｕ）≠ＳＲＳ送信周期、かつ、ＳＲＳ信号送信周期＝５でないと判断した場合（ステップＳ１１０８：Ｎｏ）、ＮＰ（ｕ）≠ＳＲＳ送信周期、かつ、ＳＲＳ信号送信周期＝２であるか否かを判断する（ステップＳ１１１２）。フィードバック信号割当決定部１１０は、ＮＰ（ｕ）≠ＳＲＳ送信周期、かつ、ＳＲＳ信号送信周期＝２であると判断した場合（ステップＳ１１１２：Ｙｅｓ）、ＮＰ（ｕ）＝５であるか否かを判断する（ステップＳ１１１４）。
【００５０】
フィードバック信号割当決定部１１０は、ステップＳ１１１０においてＮＰ（ｕ）＝２であると判断した場合（ステップＳ１１１０：Ｙｅｓ）、Ｎｐ（ｕ）＝ＺＣＱＩ（ｋ＋１）（つまり、５ｍｓ)をセットし（ステップＳ１１１６）、Ｆａｐｅｒｉｏｄｉｃ（ｕ）＝１をセットする（ステップＳ１１１８）。
【００５１】
一方、フィードバック信号割当決定部１１０は、ステップＳ１１１０においてＮＰ（ｕ）＝２でないと判断した場合（ステップＳ１１１０：Ｎｏ）、ステップＳ１１１６とＳ１１１８を飛ばして、ステップＳ１１２０に進む。また、フィードバック信号割当決定部１１０は、ステップＳ１１１２においてＮＰ（ｕ）≠ＳＲＳ送信周期、かつ、ＳＲＳ信号送信周期＝２でないと判断した場合（ステップＳ１１１２：Ｎｏ）、または、ステップＳ１１１４においてＮＰ（ｕ）＝５でないと判断した場合（ステップＳ１１１４：Ｎｏ）、ステップＳ１１２０に進む。
【００５２】
フィードバック信号割当決定部１１０は、ステップＳ１１１４においてＮＰ（ｕ）＝５であると判断した場合（ステップＳ１１１４：Ｙｅｓ）、ＮＰ（ｕ）＝２をセットする（ステップＳ１１１５）。この後、ステップＳ１１２０に進む。
【００５３】
ステップＳ１１１５、ステップＳ１１１８、ステップＳ１１１０（Ｎｏ）、ステップＳ１１１２（Ｎｏ）、または、ステップＳ１１１４（Ｎｏ）に続いて、フィードバック信号割当決定部１１０は、ＭＲＩ（ｕ）＝（Ｊ×Ｋ（ｕ）＋１）をセットする（ステップＳ１１２０）。次いで、フィードバック信号割当決定部１１０は、ＮＰ（ｕ）＝ＳＲＳ送信周期、かつ、ＳＲＳ信号送信周期＝２であるか否かを判断する（ステップＳ１１２２）。フィードバック信号割当決定部１１０は、ＮＰ（ｕ）＝ＳＲＳ送信周期、かつ、ＳＲＳ信号送信周期＝２であると判断した場合（ステップＳ１１２２：Ｙｅｓ）、Ｎｏｆｆｓｅｔ，ＲＩ（ｕ）＝０、Ｆａｐｅｒｉｏｄｉｃ（ｕ）＝１をセットする（ステップＳ１１２４）。そして本フローチャートは終了する。一方、フィードバック信号割当決定部１１０は、ＮＰ（ｕ）＝ＳＲＳ送信周期、かつ、ＳＲＳ信号送信周期＝２でないと判断した場合（ステップＳ１１２２：Ｎｏ）、ステップＳ１１２４を飛ばして、本フローチャートは終了する。
【００５４】
ところで、ＬＴＥ規格では、ｎ  Ｓｕｂｆｒａｍｅにおける下りリンクのＣＱＩ情報は、ｎ＋４  ＳｕｂｆｒａｍｅにｅＮｏｄｅＢにフィードバックされる（つまり、ＣＱＩフィードバックには、４Ｓｕｂｆｒａｍｅ分の遅延がある）。また、Ｓｕｂｂａｎｄ−ＣＱＩをフィードバックする際に、Ｂａｎｄｗｉｄｔｈ  ｐａｒｔ毎に１ｓｕｂｂａｎｄのＳｕｂｂａｎｄ−ＣＱＩをフィードバックするため、Ｗｉｄｅｂａｎｄ  ＣＱＩの送信周期は（Ｊ×Ｋ＋１）×Ｎｐとなる。但し、Ｊは、システム帯域により決めるＢａｎｄｗｉｄｔｈ  Ｐａｒｔ数である。Ｋは、上位レイヤにより決めるＷｉｄｅｂａｎｄ  ＣＱＩ送信期間中に、Ｂａｎｄｗｉｄｔｈ  Ｐａｒｔ毎のＳｕｂｂａｎｄ−ＣＱＩの送信を繰り返す回数である。図４乃至図６においては、基本的にＫを１とし、ＵＥのチャネル変動周期とＷｉｄｅｂａｎｄ  ＣＱＩの送信周期よりＣＱＩ／ＰＭＩ送信周期を決定している。
【００５５】
図７は、Ｓｕｂｂａｎｄ−ＣＱＩを送信する際の、Ｗｉｄｅｂａｎｄ  ＣＱＩの送信周期の例である。図７に示すように、Ｗｉｄｅｂａｎｄ  ＣＱＩの最小のフィードバック周期は（Ｊ＋１）×２ｍｓとなる。そのため、フィードバック信号割当決定部１１０は、遅延を考慮し、Ｃ／ｆＤ（ｕ）＋４＜（Ｊ＋１）×２ｍｓを満たすか否かによって異なる処理を行っている（図４のステップ１０４）。具体的には、Ｃ／ｆＤ（ｕ）＋４＜（Ｊ＋１）×２ｍｓを満たすＵＥに対し、Ｆｓｕｂｂａｎｄ−ＣＱＩ（ｕ）＝０（Ｓｕｂｂａｎｄ−ＣＱＩをフィードバックしない）とし（図５）、Ｃ／ｆＤ（ｕ）＋４  ＜（Ｊ＋１）×２ｍｓを満たさないＵＥに対し、Ｗｉｄｅｂａｎｄ  ＣＱＩの送信周期であるＺＷ−ＣＱＩとＣ／ｆＤ（ｕ）＋４の関係により、ＵＥの送信周期の初期値を決定している（図６）。
【００５６】
なお、図４乃至図６に示す処理は、候補ＵＥ（対象ＵＥ）毎のＣＱＩ／ＰＭＩ送信周期が異なる（異なっていてもよい）処理であるが、フィードバック信号割当決定部１１０は、当該処理に代えて、すべての候補ＵＥに対して、同じ送信周期初期値を決定し、候補ＵＥのチャネル変動周期により、Kの値を決める処理を行ってもよい。図８は、すべての候補ＵＥに対して、同じ送信周期初期値を決定し、候補ＵＥのチャネル変動周期により、Kの値を決める場合の処理である。
【００５７】
図８において、フィードバック信号割当決定部１１０は、ｋ＝１をセットする（ステップＳ１１１）。次いで、フィードバック信号割当決定部１１０は、移動速度がＶＫ未満のＵＥ数＞ＮＫ、かつ、移動速度がＶＫ未満のＵＥ数の割合がx％以上であるか否かを判断する（ステップＳ１１２）。但し、ＶＫは、システムサポートするｋ番目のＣＱＩ／ＰＭＩ送信周期決定時のＵＥ数に係る移動速度の閾値、Ｎｋは、システムサポートするｋ番目のＣＱＩ／ＰＭＩ送信周期決定時のＵＥ数に係る閾値、x％は、システムサポートするｋ番目のＣＱＩ／ＰＭＩ送信周期決定時のＵＥの割合に係る閾値である。
【００５８】
フィードバック信号割当決定部１１０は、移動速度がＶＫ未満のＵＥ数＞ＮＫ、かつ、移動速度がＶＫ未満のＵＥ数の割合がｘ％以上であると判断した場合（ステップＳ１１２：Ｙｅｓ）、ｋ＝ｋ＋１をセットする（ステップＳ１１３）。次いで、フィードバック信号割当決定部１１０は、ｋ＞９であるか否かを判断する（ステップＳ１１４）。次いで、フィードバック信号割当決定部１１０は、ｋ＞９でないと判断した場合（ステップＳ１１４：Ｎｏ）、ステップＳ１１２に戻る。
【００５９】
一方、フィードバック信号割当決定部１１０は、ｋ＞９であると判断した場合（ステップＳ１１４：Ｙｅｓ）、又は、移動速度がＶＫ未満のＵＥ数＞ＮＫ、かつ、移動速度がＶＫ未満のＵＥ数の割合がｘ％以上でないと判断した場合（ステップＳ１１２：Ｎｏ）、Ｎｐ（ｕ）＝ＺＣＱＩ（ｋ）をセットする（ステップＳ１１５）。次いで、フィードバック信号割当決定部１１０は、Ｎｐ（ｕ）＝２、または、Ｎｐ（ｕ）＝５であるか否かを判断する（ステップＳ１１６）。フィードバック信号割当決定部１１０は、Ｎｐ（ｕ）＝２、または、Ｎｐ（ｕ）＝５であると判断した場合（ステップＳ１１６：Ｙｅｓ）、ＮＰ（ｕ）≠ＳＲＳ送信周期、かつ、ＳＲＳ信号送信周期＝２ｏｒ５であるか否かを判断する（ステップＳ１１７）。
【００６０】
フィードバック信号割当決定部１１０は、ＮＰ（ｕ）≠ＳＲＳ送信周期、かつ、ＳＲＳ信号送信周期＝２ｏｒ５であると判断した場合（ステップＳ１１７：Ｙｅｓ）、Ｎｐ（ｕ）＝２ならばＮＰ＝ＺＣＱＩ（ｋ＋1）をセットし、他方、Ｎｐ（ｕ）≠２ならばＮＰ＝ＺＣＱＩ（ｋ−1）をセットする（ステップＳ１１８）。この後、ステップＳ１１９に進む。一方、フィードバック信号割当決定部１１０は、Ｎｐ（ｕ）＝２、または、Ｎｐ（ｕ）＝５でないと判断した場合（ステップＳ１１６：Ｎｏ）、ステップＳ１１７およびステップＳ１１８を飛ばして、ステップＳ１１９に進む。一方、フィードバック信号割当決定部１１０は、ＮＰ（ｕ）≠ＳＲＳ送信周期、かつ、ＳＲＳ信号送信周期＝２ｏｒ５でないと判断した場合（ステップＳ１１７：Ｎｏ）、ステップＳ１１８を飛ばして、ステップＳ１１９に進む。次いで、フィードバック信号割当決定部１１０は、対象ＵＥを選択する（ステップＳ１１９）。
【００６１】
ステップＳ１１９に続いて、フィードバック信号割当決定部１１０は、Ｆａｐｅｒｉｏｄｉｃ（ｕ）＝０，Ｆｓｕｂｂａｎｄ‐ＣＱＩ（ｕ）＝１をセットする（ステップＳ１２０）。つまり、フィードバック信号割当決定部１１０は、ＵＥｕがＰＵＳＣＨを用いてＡｐｅｒｉｏｄｉｃ−ＣＱＩを送信しない旨、ＵＥｕがＵＥｕはＳｕｂｂａｎｄ−ＣＱＩを送信する旨を設定する。
【００６２】
次いで、フィードバック信号割当決定部１１０は、Ｃ／ｆＤ（ｕ）＋４＜（Ｊ＋１）×ＮＰであるか否かを判断する（ステップＳ１２１）。但し、ただし、Ｊはシステム帯域により決めるＢａｎｄｗｉｄｔｈ  Ｐａｒｔ数である。
【００６３】
フィードバック信号割当決定部１１０は、Ｃ／ｆＤ（ｕ）＋４＜（Ｊ＋１）×ＮＰであると判断した場合（ステップＳ１２１：Ｙｅｓ）、Ｆｓｕｂｂａｎｄ‐ＣＱＩ（ｕ）＝０をセットし（ステップＳ１２２）、Ｆａｐｅｒｉｏｄｉｃ（ｕ）＝１をセットし（ステップＳ１２３）、ＭＲＩ（ｕ）＝１をセットする（ステップＳ１２４）。一方、フィードバック信号割当決定部１１０は、Ｃ／ｆＤ（ｕ）＋４＜（Ｊ＋１）×ＮＰでないと判断した場合（ステップＳ１２１：Ｎｏ）、ｆｌｏｏｒ（ｋ（ｕ）＝（Ｃ／ｆＤ（ｕ）＋４−ＮＰ）／Ｊ×ＮＰ）をセットし（ステップＳ１２５）、ＭＲＩ（ｕ）＝（Ｊ×ｋ（ｕ）＋１）をセットする（ステップＳ１２６）。但し、ｆｌｏｏｒ（ｘ）は、ｘの小数点以下を切り捨てた値である。
【００６４】
ステップＳ１２４またはステップＳ１２６に続いて、フィードバック信号割当決定部１１０は、他の対象ＵＥについても同様の処理（ステップＳ１２１〜ステップＳ１２６）を実行し、本フローチャートは終了する。
【００６５】
続いて、図９を用いて上記ステップＳ１６０の処理の詳細を説明する。具体的には、ＵＥの送信制御情報｛ｘ，ｙ，ｚ｝を決定したときの、集合ｓｕ｛ｇｆ，ｇｐ，ｇｏ｝の更新などについて説明する。なお、送信制御情報｛ｘ，ｙ，ｚ｝における、ｘはＵＥに決定したＰＵＣＣＨ  ｆｏｒｍａｔ２のＣｙｃｌｉｃ  ｓｈｉｆｔのＩＤ、ｙはＵＥに決定したＣＱＩ／ＰＭＩ送信周期、ｚはＵＥに決定したＣＱＩ／ＰＭＩ送信時間Ｏｆｆｓｅｔである。また、集合ｓｕ｛ｇｆ，ｇｐ，ｇｏ｝における、ｇｆは送信制御情報の各決定時、ＵＥに決定したＰＵＣＣＨ  ｆｏｒｍａｔ２のＣｙｃｌｉｃ  ｓｈｉｆｔのＩＤ、ｇｐは決定したＰＵＣＣＨ  ｆｏｒｍａｔ２のＣｙｃｌｉｃ  ｓｈｉｆｔのＩＤを付与したＵＥの最長ＣＱＩ／ＰＭＩ送信周期、ｇｏはまだＵＥに付与していないＣＱＩ／ＰＭＩ送信時間Ｏｆｆｓｅｔである。図３のステップＳ１２０の集合ｓｕ｛ｇｆ，ｇｐ，ｇｏ｝の初期化処理によって、集合ｓｕ｛ｇｆ，ｇｐ，ｇｏ｝は、利用可能な全ての組合せ｛ｇｆ，ｇｐ，ｇｏ｝を有している。また、ＭＩＭＯサポートするＵＥに対して、Ｎｏｆｆｓｅｔ，ＲＩ（ｕ）≠０である場合、「ｑ＝ＣＱＩ／ＰＭＩ送信時間Ｏｆｆｓｅｔ（Ｎｏｆｆｓｅｔ，ＣＱＩ（ｕ））＋ＲＩの送信時間Ｏｆｆｓｅｔ（Ｎｏｆｆｓｅｔ，ＲＩ（ｕ））」である。
【００６６】
図９において、フィードバック信号割当決定部１１０は、全ての対象ＵＥ（コピー対象ＵＥと更新対象ＵＥ）を含む集合Ｕａｌｌを設定する（ステップＳ１６４）。次いで、フィードバック信号割当決定部１１０は、対象ＵＥを選択する（ステップＳ１６６）。次いで、フィードバック信号割当決定部１１０は、対象ＵＥのＣＱＩ／ＰＭＩ送信周期（Ｎｐ（ｕ））の初期値が前回のＣＱＩ／ＰＭＩ送信周期（Ｎｐ（ｕ））と同一であり、かつ、今回の各Ｂａｎｄｗｉｄｔｈ  ＰａｒｔのＳｕｂｂａｎｄ−ＣＱＩの送信繰り返し回数Ｋ（ｕ）が前回の送信繰り返し回数Ｋ（ｕ）と同一であるか否かを判断する（ステップＳ１６８）。フィードバック信号割当決定部１１０は、前回のＣＱＩ／ＰＭＩ送信周期と同一でないか、もしくは前回の送信繰り返し回数Ｋ（ｕ）と同一でないと判断した場合（ステップＳ１６８：Ｎｏ）、当該対象ＵＥについてはステップＳ１７０〜ステップＳ１７４を実行せずにステップＳ１６６に戻って他の対象ＵＥを選択する。
【００６７】
一方、フィードバック信号割当決定部１１０は、前回のＣＱＩ／ＰＭＩ送信周期と同一であり、かつ、前回の送信繰り返し回数Ｋ（ｕ）と同一であると判断した場合（ステップＳ１６８：Ｙｅｓ）、前回の送信制御結果（割当結果）をコピーする（ステップＳ１７０）。換言すれば、フィードバック信号割当決定部１１０は、前回決定したフィードバック信号に係る関連パラメータを今回のフィードバック信号に係る関連パラメータとして決定する。具体的には、フィードバック信号割当決定部１１０は、コピーしたサイクリックシフトのインデックス（ｎＰＵＣＣＨ（２）（ｕ））をｘ、フィードバック信号の送信周期（Ｎｐ（ｕ））をｙ、フィードバック信号に割り当てる送信サブフレームのオフセット（Ｎｏｆｆｓｅｔ，ＣＱＩ（ｕ））をｚ、フィードバック信号に割り当てる送信サブフレームのオフセット（Ｎｏｆｆｓｅｔ，ＣＱＩ（ｕ））＋ＣＱＩ／ＰＭＩ送信サブルレームに対するＵＥｕのＲＩ送信サブフレームのオフセット（Ｎｏｆｆｓｅｔ，ＲＩ（ｕ））をｑとする。
【００６８】
ステップＳ１７０に続いて、フィードバック信号割当決定部１１０は、集合ｓｕ内に存在するｇｆ＝ｘである組合せのうち、ｇｏの値がｚ，ｚ＋Ｎｐ（ｕ），ｚ＋２Ｎｐ（ｕ），・・・，ｚ＋（ｃｅｉｌ（１６０／Ｎｐ（ｕ））−１）×Ｎｐ（ｕ），ｑ，ｑ＋Ｎｐ（ｕ），q＋２Ｎｐ（ｕ），・・・，ｑ＋（ｃｅｉｌ（１６０／Ｎｐ（ｕ））−１）×Ｎｐ（ｕ）である組合せを削除する（ステップＳ１７２）。なお、ｃｅｉｌは小数点以下を切り上る関数である。
【００６９】
次いで、フィードバック信号割当決定部１１０は、ステップＳ１６６において選択した対象ＵＥを集合Ｕａｌｌから取り除く（ステップＳ１７４）。この後、ステップＳ１６６に戻って他の対象ＵＥを選択する。
【００７０】
以上、図９に示すように、フィードバック信号割当決定部１１０は、コピー対象ＵＥに決定したＰＵＣＣＨ  ｆｏｒｍａｔ２のＣｙｃｌｉｃ  ｓｈｉｆｔのＩＤ（＝ｘ）及びＣＱＩ／ＰＭＩ送信時間Ｏｆｆｓｅｔ（＝ｚ）に基づいて、更新対象ＵＥに使用禁止とする組合せ｛ｇｆ，ｇｐ，ｇｏ｝を集合ｓｕ｛ｇｆ，ｇｐ，ｇｏ｝から削除する。
【００７１】
続いて、図１０乃至図１４を用いて上記ステップＳ２００の処理の詳細を説明する。図１０において、フィードバック信号割当決定部１１０は、集合Ｕａｌｌは空集合であるか否かを判断する（ステップＳ２０２）。フィードバック信号割当決定部１１０は、集合Ｕａｌｌは空集合であると判断した場合（ステップＳ２０２：Ｙｅｓ）、本フローチャートは終了する。フィードバック信号割当決定部１１０は、集合Ｕａｌｌは空集合でないと判断した場合（ステップＳ２０２：Ｎｏ）、集合Ｕａｌｌ内のＵＥに対して「Ｎｏｆｆｓｅｔ，ＲＩ（ｕ）≠０」をセットする（ステップＳ２０３）。次いで、フィードバック信号割当決定部１１０は、ＣＱＩ／ＰＭＩ送信周期Ｎｐが２ｍｓである対象ＵＥが存在するか否かを判断する（ステップＳ２０４）。
【００７２】
フィードバック信号割当決定部１１０は、ＣＱＩ／ＰＭＩ送信周期Ｎｐが２ｍｓである対象ＵＥが存在しないと判断した場合（ステップＳ２０４：Ｎｏ）、「Ｎｏｆｆｓｅｔ，ＲＩ（ｕ）≠０，Ｎｐ≠２」の処理を実行する（ステップＳ２０００）。そして、図１０に示すフローチャートは終了する。なお、ステップＳ２０００の処理の詳細は、後述する（図１１）。
【００７３】
フィードバック信号割当決定部１１０は、ＣＱＩ／ＰＭＩ送信周期Ｎｐが２ｍｓである対象ＵＥが存在すると判断した場合（ステップＳ２０４：Ｙｅｓ）、Ｎｐが２ｍｓである対象ＵＥをＵＥ  ＩＤの昇順に選択する（ステップＳ２０６）。次いで、フィードバック信号割当決定部１１０は、集合ｓｕから、以下の選択基準で組合せを１つ選択する（ステップＳ２０８）。
（選択基準）
・ＳＲＳ送信Ｏｆｆｓｅｔが奇数であるＵＥに対して、偶数のｇｏを他のＵＥに付与していないｇｆと、２より小さいｇｏとを含む組合せを選択する。
・ＳＲＳ送信Ｏｆｆｓｅｔが偶数であるＵＥに対して、奇数のｇｏを他のＵＥに付与していないｇｆと、２より小さいｇｏとを含む組合せを選択する。
・該当する組合せが複数存在する場合は、ｇｆの昇順で１つの組合せを選択する。
【００７４】
次いで、フィードバック信号割当決定部１１０は、ステップＳ２０８の条件に該当する組合せが存在する場合にステップＳ２１０に進み、ステップＳ２０８の条件に該当する組合せが存在しない場合にはステップＳ２１８に進む（ステップＳ２０９）。
【００７５】
ステップＳ２０８の条件に該当する組合せが存在する場合（ステップＳ２０９：Ｙｅｓ）、フィードバック信号割当決定部１１０は、ステップＳ２０８で選択した組合せに含まれるｇｆの値をｎＰＵＣＣＨ（２）（ｕ）にセットし、ステップＳ２０８で選択した組合せに含まれるｇｏの値をＮｏｆｆｓｅｔ，ＣＱＩ（ｕ）にセットする（ステップＳ２１０）。次いで、フィードバック信号割当決定部１１０は、ＵＥｕがＭＩＭＯをサポートするか否かを判断する（ステップＳ２１２）。フィードバック信号割当決定部１１０は、ＵＥｕがＭＩＭＯをサポートすると判断した場合（ステップＳ２１２：Ｙｅｓ）、Ｎｏｆｆｓｅｔ，ＲＩ（ｕ）＝０、Ｆａｐｅｒｉｏｄｉｃ（ｕ）＝１、ＭＲＩ（ｕ）＝ＵＥｕのＲＩ変動周期とする（ステップＳ２１４）。この後、ステップＳ２１５に進む。一方、フィードバック信号割当決定部１１０は、ＵＥｕがＭＩＭＯをサポートしないと判断した場合（ステップＳ２１２：Ｎｏ）、ステップＳ２１４を実行せずにステップＳ２１５に進む。
【００７６】
次いで、フィードバック信号割当決定部１１０は、集合ｓｕ内に存在するｇｆ＝ｘである組合せのうち、ｇｏの値がｚ，ｚ＋Ｎｐ（ｕ），ｚ＋２Ｎｐ（ｕ），・・・，ｚ＋（ｃｅｉｌ（１６０／Ｎｐ（ｕ））−１）×Ｎｐ（ｕ），ｑ，ｑ＋Ｎｐ（ｕ），q＋２Ｎｐ（ｕ），・・・，ｑ＋（ｃｅｉｌ（１６０／Ｎｐ（ｕ））−１）×Ｎｐ（ｕ）である組合せを削除する（ステップＳ２１５）。このステップＳ２１５において、Ｎｐ（ｕ）＝２ｍｓである。
【００７７】
フィードバック信号割当決定部１１０は、他の対象ＵＥについても同様の処理（ステップＳ２０８〜ステップＳ２１５）を実行し、集合ＵａｌｌからＮｐが２ｍｓである対象ＵＥを取り除き（ステップＳ２１６）、ステップＳ２０２に戻る。
【００７８】
一方、ステップＳ２０８の条件に該当する組合せが存在しない場合（ステップＳ２０９：Ｎｏ）、フィードバック信号割当決定部１１０は、以下の更新基準で対象ＵＥのＣＱＩ／ＰＭＩ送信周期Ｎｐ（ｕ）を更新し、Ｆａｐｅｒｉｏｄｉｃ（ｕ）＝１とする（ステップＳ２１８）。
（更新基準）
・Ｎｐが２ｍｓであり、かつ、ＳＲＳ送信周期が２ｍｓである対象ＵＥに対して、ＣＱＩ／ＰＭＩ送信周期Ｎｐ（ｕ）を１０ｍｓに更新する。
・Ｎｐが２ｍｓであり、かつ、ＳＲＳ送信周期が２ｍｓでない対象ＵＥに対して、ＣＱＩ／ＰＭＩ送信周期Ｎｐ（ｕ）を５ｍｓに更新する。
【００７９】
次いで、フィードバック信号割当決定部１１０は、「Ｎｐ≠２」の処理を実行する（ステップＳ２０００）。そして、図１０に示すフローチャートは終了する。なお、ステップＳ２０００の処理の詳細は、後述する（図１１）。
【００８０】
続いて、図１１を用いて上記ステップＳ２０００の処理の詳細を説明する。図１１において、フィードバック信号割当決定部１１０は、Ｎｐ_ｍｉｎ＝集合Ｕａｌｌに含まれる対象ＵＥのＣＱＩ／ＰＭＩ送信周期Ｎｐの最小値とする（ステップＳ２００２）。次いで、フィードバック信号割当決定部１１０は、ＮｐがＮｐ_ｍｉｎである対象ＵＥを、ＵＥ  ＩＤの昇順に選択する（ステップＳ２００４）。次いで、フィードバック信号割当決定部１１０は、対象ＵＥのＳＲＳ送信時間の集合ｓｅｔ_ＳＲＳを次式（Ｃ言語で記述）により設定する（ステップＳ２００６）。
【００８１】
ｉｆ  ＳＲＳ送信周期≦ＣＱＩ／ＰＭＩ送信周期
ｓｅｔ_ＳＲＳ（ｕ）＝｛ｉＳＲＳ（ｕ）＋ｋＴＳＲＳ（ｕ）｝、但し、ｋ∈｛０，１，2，…，ｃｅｉｌ（Ｎｐ（ｕ）／ＴＳＲＳ（ｕ）)−1｝
ｅｌｓｅ
ｓｅｔ_ＳＲＳ（ｕ）＝｛ｉＳＲＳ（ｕ）｝
ｅｎｄ
但し、ｉＳＲＳ（ｕ）はＵＥｕのＳＲＳ信号送信Ｏｆｆｓｅｔ、ＴＳＲＳ（ｕ）はＵＥｕのＳＲＳ信号送信周期である。
【００８２】
次いで、フィードバック信号割当決定部１１０は、対象ＵＥのＮｏｆｆｓｅｔ，ＲＩ（ｕ）を確認する（ステップＳ２００８）。この結果、Ｎｏｆｆｓｅｔ，ＲＩ（ｕ）≠０ならば（ステップＳ２００８：Ｙｅｓ）、処理５を実行する（ステップＳ２１００）。一方、Ｎｏｆｆｓｅｔ，ＲＩ（ｕ）＝０ならば（ステップＳ２００８：Ｎｏ）、処理６を実行する（ステップＳ２３００）。なお、ステップＳ２１００の処理５およびステップＳ２３００の処理６の詳細は、後述する。
【００８３】
処理５または処理６を実行したフィードバック信号割当決定部１１０は、他の対象ＵＥについても同様の処理（ステップＳ２００６〜ステップＳ２３００）を実行し、集合ＵａｌｌからＮｐがＮｐ_ｍｉｎである対象ＵＥを取り除く（ステップＳ２０１２）。次いで、フィードバック信号割当決定部１１０は、集合Ｕａｌｌは空集合であるか否かを判断する（ステップＳ２０１４）。フィードバック信号割当決定部１１０は、集合Ｕａｌｌは空集合でないと判断した場合（ステップＳ２０１４：Ｎｏ）、ステップＳ２００２に戻る。一方、フィードバック信号割当決定部１１０は、集合Ｕａｌｌは空集合であると判断した場合（ステップＳ２０１４：Ｙｅｓ）、本フローチャートは終了する。
【００８４】
続いて、図１２を用いて処理５（上記ステップＳ２１００の処理）の詳細を説明する。図１２において、フィードバック信号割当決定部１１０は、ＵＥｕがＭＩＭＯをサポートするか否かを判断する（ステップＳ２３０２）。フィードバック信号割当決定部１１０は、ＵＥｕがＭＩＭＯをサポートすると判断した場合（ステップＳ２３０２：Ｙｅｓ）、集合ｓｕから、ｇｆの値が同一であって、かつ、ｇｏの値が異なる組合せであって、ｇｏの値が集合ｓｅｔ_ＳＲＳに含まれない値であって、かつ、ｇｏの値＜Ｎｐ（ｕ）である組合せを２つ選択する（ステップＳ２３０４）。但し、該当する組合せが複数存在する場合、以下の選択基準で組合せを２つ選択する（２つはｇｆの値が同一であることを要する）。
（選択基準）
・第１キー：ｇｏの値の昇順
・第２キー：ｇｆの値の昇順
【００８５】
つまり、フィードバック信号割当決定部１１０は、第１キーであるｇｏの値（例えば、取り得る最小値）において、ｇｆの値の増やし、ｇｆの値が最大値になったときに、ｇｏの値を増やした後、同様に、ｇｆの値の増やすようにして、組合せを２つ選択する
【００８６】
次いで、フィードバック信号割当決定部１１０は、ステップＳ２３０４の条件に該当する組合せが存在する場合にステップＳ２３０６に進み、ステップＳ２３０４の条件に該当する組合せが存在しない場合にステップＳ２３０９に進む。
【００８７】
ステップＳ２３０４の条件に該当する組合せが存在しない場合（ステップＳ２３０５：Ｎｏ）、フィードバック信号割当決定部１１０は、Ｎｏｆｆｓｅｔ，ＲＩ（ｕ）＝０とセットし（ステップＳ２３０９）、図１１のステップＳ２００８へ戻る。
【００８８】
ステップＳ２３０４の条件に該当する組合せが存在する場合（ステップＳ２３０５：Ｙｅｓ）、フィードバック信号割当決定部１１０は、Ｎｏｆｆｓｅｔ，ＲＩ（ｕ）＝−（大きいｇｏの値−小さいｇｏの値）とし（ステップＳ２３０６）、ｎＰＵＣＣＨ（２）（ｕ）＝選択した組み合わせに含まれるｇｆの値、Ｎｏｆｆｓｅｔ，ＣＱＩ（ｕ）＝選択した組み合わせに含まれる大きいｇｏの値とする（ステップＳ２３０８）。
【００８９】
一方、フィードバック信号割当決定部１１０は、ＵＥｕがＭＩＭＯをサポートしないと判断した場合（ステップＳ２３０２：Ｎｏ）、集合ｓｕから、ｇｏの値が集合ｓｅｔ_ＳＲＳに含まれない値であって、かつ、ｇｏの値＜Ｎｐ（ｕ）である組合せを選択する（ステップＳ２３１０）。但し、該当する組合せが複数存在する場合、以下の選択基準で組合せを１つ選択する。
（選択基準）
・第１キー：ｇｏの値の昇順
・第２キー：ｇｆの値の昇順
【００９０】
次いで、フィードバック信号割当決定部１１０は、ステップＳ２３１０の条件に該当する組合せが存在する場合にステップＳ２３１２に進み、ステップＳ２３１０の条件に該当する組合せが存在しない場合にはステップＳ７００に進む（ステップＳ２３１１）。
【００９１】
ステップＳ２３１０の条件に該当する組合せが存在する場合（ステップＳ２３１１：Ｙｅｓ）、フィードバック信号割当決定部１１０は、ｎＰＵＣＣＨ（２）（ｕ）＝選択した組み合わせに含まれるｇｆの値、Ｎｏｆｆｓｅｔ，ＣＱＩ（ｕ）＝選択した組み合わせに含まれるｇｏの値とする（ステップＳ２３１２）。
【００９２】
一方、ステップＳ２３１０の条件に該当する組合せが存在しない場合（ステップＳ２３１１：Ｎｏ）、フィードバック信号割当決定部１１０は、更新対象ＵＥを用いて集合Ｕａｌｌをリセットし、最小ＣＱＩ／ＰＭＩ送信周期を持つ更新対象ＵＥを対象に、ＣＱＩ／ＰＭＩ送信周期を更新する（ステップＳ７００）。この後、図３のステップＳ２００へ戻る。ＣＱＩ／ＰＭＩ送信周期の更新処理（ステップＳ７００）は後述する。
【００９３】
ステップＳ２３０８、ステップＳ２３００またはステップＳ２３１２に続いて、フィードバック信号割当決定部１１０は、選択した組み合わせを集合ｓｕから削除する（ステップＳ２３１４）。ここで、決定したｎＰＵＣＣＨ（２）（ｕ）をｘ、Ｎｏｆｆｓｅｔ，ＣＱＩ（ｕ）をｚ、Ｎｏｆｆｓｅｔ，ＣＱＩ（ｕ）＋Ｎｏｆｆｓｅｔ，ＲＩ（ｕ）をｑと仮定する。次いで、フィードバック信号割当決定部１１０は、集合ｓｕ内に存在するｇｆ＝ｘである組合せのうち、ｇｏの値がｚ，ｚ＋Ｎｐ（ｕ），ｚ＋２Ｎｐ（ｕ），・・・，ｚ＋（ｃｅｉｌ（１６０／Ｎｐ（ｕ））−１）×Ｎｐ（ｕ），ｑ，ｑ＋Ｎｐ（ｕ），q＋２Ｎｐ（ｕ），・・・，ｑ＋（ｃｅｉｌ（１６０／Ｎｐ（ｕ））−１）×Ｎｐ（ｕ）である組合せを削除する（ステップＳ２３１６）。この後、本処理５（ステップＳ２１００）を終了する。
【００９４】
続いて、図１３を用いて処理６（上記ステップＳ２３００の処理）の詳細を説明する。図１３において、フィードバック信号割当決定部１１０は、集合ｓｕから、ｇｏの値が集合ｓｅｔ_ＳＲＳに含まれない値であって、かつ、ｇｏの値＜Ｎｐ（ｕ）である組合せを選択する（ステップＳ６００２）。但し、該当する組合せが複数存在する場合、以下の選択基準で組合せを１つ選択する。
（選択基準）
・第１キー：ｇｏの値の昇順
・第２キー：ｇｆの値の昇順
【００９５】
次いで、フィードバック信号割当決定部１１０は、ステップＳ６００２の条件に該当する組合せが存在する場合にステップＳ６００４に進み、ステップＳ６００２の条件に該当する組合せが存在しない場合にはステップＳ７００に進む（ステップＳ６００３）。
【００９６】
ステップＳ６００２の条件に該当する組合せが存在する場合（ステップＳ６００３：Ｙｅｓ）、フィードバック信号割当決定部１１０は、ｎＰＵＣＣＨ（２）（ｕ）＝選択した組み合わせに含まれるｇｆの値、Ｎｏｆｆｓｅｔ，ＣＱＩ（ｕ）＝選択した組み合わせに含まれるｇｏの値とする（ステップＳ６００４）。このとき、フィードバック信号割当決定部１１０は、ＭＩＭＯサポートするＵＥのみに対して、Ｎｏｆｆｓｅｔ，ＲＩ（ｕ）＝０とする。次いで、フィードバック信号割当決定部１１０は、選択した組み合わせを集合ｓｕから削除する（ステップＳ６００６）。次いで、フィードバック信号割当決定部１１０は、集合ｓｕ内に存在するｇｆ＝ｘである組合せのうち、ｇｏの値がｚ，ｚ＋Ｎｐ（ｕ），ｚ＋２Ｎｐ（ｕ），・・・，ｚ＋（ｃｅｉｌ（１６０／Ｎｐ（ｕ））−１）×Ｎｐ（ｕ），ｑ，ｑ＋Ｎｐ（ｕ），q＋２Ｎｐ（ｕ），・・・，ｑ＋（ｃｅｉｌ（１６０／Ｎｐ（ｕ））−１）×Ｎｐ（ｕ）である組合せを削除する（ステップＳ６００８）。この後、本処理６（ステップＳ２３００）を終了する。
【００９７】
一方、ステップＳ６００２の条件に該当する組合せが存在しない場合（ステップＳ６００３：Ｎｏ）、フィードバック信号割当決定部１１０は、更新対象ＵＥを用いて集合Ｕａｌｌをリセットし、最小ＣＱＩ／ＰＭＩ送信周期を持つ更新対象ＵＥを対象に、ＣＱＩ／ＰＭＩ送信周期を更新する（ステップＳ７００）。この後、図３のステップＳ２００へ戻る。ＣＱＩ／ＰＭＩ送信周期の更新処理（ステップＳ７００）は後述する。
【００９８】
続いて、図１４を用いて上記ステップＳ７００の処理の詳細を説明する。図１４において、フィードバック信号割当決定部１１０は、更新対象ＵＥのＮｐの最小値＝２であるか否かを判断する（ステップＳ７０２）。フィードバック信号割当決定部１１０は、更新対象ＵＥのＮｐの最小値＝２であると判断した場合（ステップＳ７０２：Ｙｅｓ）、以下の更新基準で更新対象ＵＥのＣＱＩ／ＰＭＩ送信周期Ｎｐ（ｕ）を更新する（ステップＳ７０４）。
（更新基準）
・Ｎｐが２ｍｓであり、かつ、ＳＲＳ送信周期が２ｍｓである更新対象ＵＥに対して、ＣＱＩ／ＰＭＩ送信周期Ｎｐ（ｕ）を１０ｍｓに更新する。
・Ｎｐが２ｍｓであり、かつ、ＳＲＳ送信周期が２ｍｓでない更新対象ＵＥに対して、ＣＱＩ／ＰＭＩ送信周期Ｎｐ（ｕ）を５ｍｓに更新する。
【００９９】
一方、フィードバック信号割当決定部１１０は、更新対象ＵＥのＮｐの最小値＝２でないと判断した場合（ステップＳ７０２：Ｎｏ）、更新対象ＵＥのＮｐの最小値＝１６０であるか否かを判断する（ステップＳ７０６）。フィードバック信号割当決定部１１０は、更新対象ＵＥのＮｐの最小値＝１６０でないと判断した場合（ステップＳ７０６：Ｎｏ）、最小Ｎｐの更新対象ＵＥに対して、該最小Ｎｐからシステムサポートする次のＣＱＩ／ＰＭＩ送信周期へ、ＣＱＩ／ＰＭＩ送信周期Ｎｐ（ｕ）を更新する（ステップＳ７０８）。ステップＳ７０４またはステップＳ７０８に続いて、フィードバック信号割当決定部１１０は、Ｎｐが変更されたＵＥｕに対して、Ｆａｐｅｒｉｏｄｉｃ（ｕ）＝１、Ｆｓｕｂｂａｎｄ‐ＣＱＩ（ｕ）＝０を設定する（ステップＳ７１０）。そして本フローチャートは終了する。
【０１００】
一方、フィードバック信号割当決定部１１０は、更新対象ＵＥのＮｐの最小値＝１６０であると判断した場合（ステップＳ７０６：Ｙｅｓ）、Ｂｕｆｆｅｒ  Ｑｕｅｕｅ長の降順に、「ＮＳＣＲＢ×ＮＲＢ（２）（ｍａｘ）−コピー対象ＵＥ数」個の更新対象ＵＥを選択し、この選択結果の更新対象ＵＥを対象にして集合Ｕａｌｌをリセットする。この後、図３のステップＳ２００へ戻る。
【０１０１】
以上、図１０乃至図１４に示すように、フィードバック信号割当決定部１１０は、更新対象ＵＥを対象に、送信制御情報を決定している。このとき、対象ＵＥのＮｐ（ｕ）が２ｍｓの場合、ＣＱＩ／ＰＭＩの送信時間と当該対象ＵＥのＳＲＳ送信タイミングとが重ならないようにＮｏｆｆｓｅｔ，ＣＱＩ（ｕ）を決定している。また、ＭＩＭＯサポートするＵＥに対し、Ｎｏｆｆｓｅｔ，ＲＩ（ｕ）＝０としている。
【０１０２】
一方、対象ＵＥのＮｐ（ｕ）が２ｍｓ以外の場合、ＣＱＩ／ＰＭＩの送信時間と当該対象ＵＥのＳＲＳ送信タイミングとが重ならないようにＮｏｆｆｓｅｔ，ＣＱＩ（ｕ）を決定している。また、ＭＩＭＯサポートするＵＥに対し、Ｎｏｆｆｓｅｔ，ＲＩ（ｕ）≠０と初期化している。
【０１０３】
図１５（ａ）および図１５（ｂ）は、端末のＣＱＩ／ＰＭＩ送信制御情報決定時のパラメータ決定順序を模式的に表したものである。フィードバック信号割当決定部１１０は、先にＰＵＣＣＨ  ｆｏｒｍａｔ２のｃｙｃｌｉｃ  ｓｈｉｆｔ  ｉｎｄｅｘ（ＰＵＣＣＨ  ｆｏｒｍａｔ  ＩＤ）を増やして、候補ＵＥに付与し、その後、送信ＳｕｂｆｒａｍｅのＯｆｆｓｅｔ値を増やして順次に候補ＵＥに付与するようにしている。即ち、フィードバック信号割当決定部１１０は、ＣＱＩ／ＲＩ／ＰＭＩの送信制御を行う際、図１５（ａ）に示すような決定順序で、パラメータを決定している。
【０１０４】
一方、図１５（ｂ）に示す決定順序は、先に送信ＳｕｂｆｒａｍｅのＯｆｆｓｅｔ値を増やして順次に候補ＵＥに付与し、その後、ＰＵＣＣＨ  ｆｏｒｍａｔ２のｃｙｃｌｉｃ  ｓｈｉｆｔ  ｉｎｄｅｘを増やして候補ＵＥに付与するものである。当該決定順序に従えば、候補ＵＥに付与するＰＵＣＣＨ  ｆｏｒｍａｔ２のｃｙｃｌｉｃ  ｓｈｉｆｔ  ｉｎｄｅｘの数を最小化することができるが、ＳｕｂｆｒａｍｅあたりＰＵＣＣＨに利用される無線リソース（つまり、ＳｕｂｆｒａｍｅあたりＰＵＣＣＨに利用されるＲＢ数）は一定となる。ＳｕｂｆｒａｍｅあたりＰＵＣＣＨに利用されるＲＢ数＝［（候補ＵＥに付与するＰＵＣＣＨ  ｆｏｒｍａｔ２のｃｙｃｌｉｃ  ｓｈｉｆｔ  ｉｎｄｅｘの数／ＮＳＣＲＢ）］。但し、［ｘ］は、ｘの切り上げである。［（候補ＵＥに付与するＰＵＣＣＨ  ｆｏｒｍａｔ２のｃｙｃｌｉｃ  ｓｈｉｆｔ  ｉｎｄｅｘの数／ＮＳＣＲＢ）］×ＮＳＣＲＢ＞＞候補ＵＥに付与するＰＵＣＣＨ  ｆｏｒｍａｔ２のｃｙｃｌｉｃ  ｓｈｉｆｔ  ｉｎｄｅｘの数の場合、余計にＣＱＩ／ＲＩ／ＰＭＩに必要以上な無線リソースを割り当てることより、無線リソース利用効率を低下させてしまう恐れがある。
【０１０５】
即ち、フィードバック信号割当決定部１１０は、無線リソース利用効率の低下を避けるため、図１５（ｂ）のパラメータ決定順序ではなく、図１５（ａ）のパラメータ決定順序に従って、パラメータを決定している。従って、ＳｕｂｆｒａｍｅあたりＰＵＣＣＨに利用される無線リソースが変動し、無線リソースを有効利用することができる。
【０１０６】
図１６は、ΔＴＣＱＩ／ＲＩ／ＰＭＩ期間中の新たにＲＲＣ  ｓｔａｔｅｓがＲＲＣ＿ｃｏｎｎｅｃｔｅｄになったＵＥを対象（以下、新たに対象となったＵＥと称する）に、ＣＱＩ／ＲＩ／ＰＭＩ送信制御情報を決定する動作である。
図１６において、フィードバック信号割当決定部１１０は、集合ｓｕは空集合であるか判定する（ステップＳ９００）。この結果、集合ｓｕが空集合である場合には本フローチャートを終了する。一方、集合ｓｕが空集合でない場合にはステップＳ９０２に進む。次いで、フィードバック信号割当決定部１１０は、新たに対象となったＵＥのＣＱＩ／ＰＭＩ送信周期の初期値を決定する（ステップＳ９０２）。この初期値の決定手順は、図４に示すステップ手順（ステップＳ１００）と同様である。もしくは、この初期値は図６に示すステップＳ１１００で決定したＣＱＩ／ＰＭＩ送信周期を利用する。
【０１０７】
次いで、フィードバック信号割当決定部１１０は、新たに対象となったＵＥに決定したＣＱＩ／ＰＭＩ送信周期Ｎｐが２ｍｓであるか否かを判断する（ステップＳ９０３）。
【０１０８】
新たに対象となったＵＥに決定したＣＱＩ／ＰＭＩ送信周期Ｎｐが２ｍｓでない場合（ステップＳ９０３：Ｎｏ）、フィードバック信号割当決定部１１０は、集合ｓｕから、ｇｏの値が集合ｓｅｔ_ＳＲＳに含まれない値であって、かつ、ｇｏの値＜Ｎｐ（ｕ）である組合せを選択する（ステップＳ９０４）。但し、該当する組合せが複数存在する場合、以下の選択基準で組合せを２つ選択する。この後、ステップＳ９０６へ進む。
（選択基準）
・第１キー：ｇｏの値の昇順
・第２キー：ｇｆの値の昇順
【０１０９】
一方、新たに対象となったＵＥに決定したＣＱＩ／ＰＭＩ送信周期Ｎｐが２ｍｓである場合（ステップＳ９０３：Ｙｅｓ）、フィードバック信号割当決定部１１０は、集合ｓｕから、以下の選択基準で組合せを１つ選択する（ステップＳ９０５）。この後、ステップＳ９０６へ進む。
（選択基準）
・新たに対象となったＵＥのＳＲＳ送信Ｏｆｆｓｅｔが奇数である場合、偶数のｇｏを他のＵＥに付与していないｇｆと、２より小さいｇｏとを含む組合せを選択する。
・新たに対象となったＵＥのＳＲＳ送信Ｏｆｆｓｅｔが偶数である場合、奇数のｇｏを他のＵＥに付与していないｇｆと、２より小さいｇｏとを含む組合せを選択する。
・該当する組合せが複数存在する場合は、ｇｆの昇順で１つの組合せを選択する。
【０１１０】
次いで、フィードバック信号割当決定部１１０は、ステップＳ９０４又はＳ９０５の条件に該当する組合せが存在する場合（ステップＳ９０６：Ｙｅｓ）にステップＳ９０８に進み、ステップＳ９０４の条件に該当する組合せもステップＳ９０５の条件に該当する組合せも両方とも存在しない場合（ステップＳ９０６：Ｎｏ）にはステップＳ９０７に進む。
【０１１１】
ステップＳ９０７では、フィードバック信号割当決定部１１０は、新たに対象となったＵＥのＣＱＩ／ＰＭＩ送信周期Ｎｐが１６０ｍｓであるか否かを判断する。この結果、新たに対象となったＵＥのＣＱＩ／ＰＭＩ送信周期Ｎｐが１６０ｍｓである場合、本フローチャートを終了する。一方、新たに対象となったＵＥのＣＱＩ／ＰＭＩ送信周期Ｎｐが１６０ｍｓでない場合、フィードバック信号割当決定部１１０は、ステップＳ７００に進む。ステップＳ７００の処理は上記図１４と同じである。ステップＳ７００の後、ステップＳ９０３に戻る。
【０１１２】
一方、ステップＳ９０８では、フィードバック信号割当決定部１１０は、新たに対象となったＵＥｕがＭＩＭＯをサポートするか否かを判断する。この結果、新たに対象となったＵＥｕがＭＩＭＯをサポートしない場合はステップＳ９０９に進み、新たに対象となったＵＥｕがＭＩＭＯをサポートする場合はステップＳ９１０に進む。
【０１１３】
ステップＳ９１０では、フィードバック信号割当決定部１１０は、ステップＳ９０４の条件に該当する組合せが１つだけ存在するか否かを判断する。この結果、ステップＳ９０４の条件に該当する組合せが１つだけ存在する場合はステップＳ９１２に進み、ステップＳ９０４の条件に該当する組合せが２つ存在する場合はステップＳ９１８に進む。
【０１１４】
ステップＳ９１２では、フィードバック信号割当決定部１１０は、Ｎｏｆｆｓｅｔ，ＲＩ（ｕ）＝０、Ｆａｐｅｒｉｏｄｉｃ（ｕ）＝１、ＭＲＩ（ｕ）＝ＵＥｕのＲＩ変動周期とする。この後、ステップＳ９１６に進む。
【０１１５】
ステップＳ９１８では、フィードバック信号割当決定部１１０は、Ｎｏｆｆｓｅｔ，ＲＩ（ｕ）＝−（大きいｇｏの値−小さいｇｏの値）とする。次いで、フィードバック信号割当決定部１１０は、ｎＰＵＣＣＨ（２）（ｕ）＝選択した組み合わせに含まれるｇｆの値、Ｎｏｆｆｓｅｔ，ＣＱＩ（ｕ）＝選択した組み合わせに含まれる大きいｇｏの値とする（ステップＳ９２０）。この後、ステップＳ９１６に進む。
【０１１６】
ステップＳ９０８の結果、新たに対象となったＵＥｕがＭＩＭＯをサポートしない場合（ステップＳ９０８：Ｎｏ）、該当する１つの組合せに対して、フィードバック信号割当決定部１１０は、ｎＰＵＣＣＨ（２）（ｕ）＝選択した組み合わせに含まれるｇｆの値、Ｎｏｆｆｓｅｔ，ＣＱＩ（ｕ）＝選択した組み合わせに含まれるｇｏの値とする。但し、該当する組合せが複数ある場合は、ｇｏの昇順で１つの組合せを選択する。この後、ステップＳ９１６に進む。
【０１１７】
ステップＳ９１６では、フィードバック信号割当決定部１１０は、集合ｓｕ内に存在するｇｆ＝ｘである組合せのうち、ｇｏの値がｚ，ｚ＋Ｎｐ（ｕ），ｚ＋２Ｎｐ（ｕ），・・・，ｚ＋（ｃｅｉｌ（１６０／Ｎｐ（ｕ））−１）×Ｎｐ（ｕ），ｑ，ｑ＋Ｎｐ（ｕ），q＋２Ｎｐ（ｕ），・・・，ｑ＋（ｃｅｉｌ（１６０／Ｎｐ（ｕ））−１）×Ｎｐ（ｕ）である組合せを削除する。この後、本フローチャートを終了する。
【０１１８】
以下、具体例１として、信号割当装置１０の全体の動作を説明する。なお、本例において、ＵＥの数は５（ＵＥ１，ＵＥ２、ＵＥ３、ＵＥ４、ＵＥ５）、何れのＵＥもＭＩＭＯをサポートし、各ＵＥの最新（前回）のＣＱＩ／ＰＭＩ／ＲＩ送信制御情報は以下の通りであるものとする。また、Ｋ＝１と仮定する。
【０１１９】
（ＵＥ１の最新のＣＱＩ／ＰＭＩ／ＲＩ送信制御情報）
Ｎｐ（１）＝５ｍｓ、Ｎｏｆｆｓｅｔ，ＣＱＩ（１）＝１、ｎＰＵＣＣＨ（２）（１）＝０、ＭＲＩ（１）＝１、Ｎｏｆｆｓｅｔ，ＲＩ（１）＝−１、Ｆａｐｅｒｉｏｄｉｃ（１）＝０、Ｆｓｕｂｂａｎｄ−ＣＱＩ（１）＝１
（ＵＥ２の最新のＣＱＩ／ＰＭＩ／ＲＩ送信制御情報）
Ｎｐ（２）＝１０ｍｓ、Ｎｏｆｆｓｅｔ，ＣＱＩ（２）＝３、ｎＰＵＣＣＨ（２）（２）＝０、ＭＲＩ（２）＝１、Ｎｏｆｆｓｅｔ，ＲＩ（２）＝−１、Ｆａｐｅｒｉｏｄｉｃ（２）＝０、Ｆｓｕｂｂａｎｄ−ＣＱＩ（２）＝１
（ＵＥ３の最新のＣＱＩ／ＰＭＩ／ＲＩ送信制御情報）
Ｎｐ（３）＝５ｍｓ、Ｎｏｆｆｓｅｔ，ＣＱＩ（３）＝１、ｎＰＵＣＣＨ（２）（３）＝０、ＭＲＩ（３）＝１、Ｎｏｆｆｓｅｔ，ＲＩ（３）＝−１、Ｆａｐｅｒｉｏｄｉｃ（３）＝０、Ｆｓｕｂｂａｎｄ−ＣＱＩ（３）＝１
（ＵＥ４の最新のＣＱＩ／ＰＭＩ／ＲＩ送信制御情報）
Ｎｐ（４）＝１０ｍｓ、Ｎｏｆｆｓｅｔ，ＣＱＩ（４）＝３、ｎＰＵＣＣＨ（２）（４）＝１、ＭＲＩ（４）＝１、Ｎｏｆｆｓｅｔ，ＲＩ（４）＝−１、Ｆａｐｅｒｉｏｄｉｃ（４）＝０、Ｆｓｕｂｂａｎｄ−ＣＱＩ（４）＝１
（ＵＥ５の最新のＣＱＩ／ＰＭＩ／ＲＩ送信制御情報）
Ｎｐ（５）＝１０ｍｓ、Ｎｏｆｆｓｅｔ，ＣＱＩ（５）＝１、ｎＰＵＣＣＨ（２）（５）＝２、ＭＲＩ（５）＝１、Ｎｏｆｆｓｅｔ，ＲＩ（５）＝−１、Ｆａｐｅｒｉｏｄｉｃ（５）＝０、Ｆｓｕｂｂａｎｄ−ＣＱＩ（５）＝１
【０１２０】
また、今回のＣＱＩ／ＰＭＩ送信周期初期値の決定において、ＵＥ１のＣＱＩ／ＰＭＩの値は５ｍｓ、ＵＥ２のＣＱＩ／ＰＭＩの値は２ｍｓ、ＵＥ３、ＵＥ４、ＵＥ５のＣＱＩ／ＰＭＩの値は１０ｍｓとなったと仮定する。
以上の条件のもと、上記説明した手順通りにＵＥに関連パラメータを決定する。
【０１２１】
（集合ｓｕの初期化）
簡単のため、ＣＱＩ／ＰＭＩ送信に使われるPUCCH format ２のCyclic Shift IDの上限値を２と仮定する。その場合、集合ｓｕの要素を以下の通りに初期化する。
{ｇｆ＝０，ｇｐ＝１６０，ｇｏ＝０｝、{ｇｆ＝０，ｇｐ＝１６０，ｇｏ＝1｝、{ｇｆ＝０，ｇｐ＝１６０，ｇｏ＝2｝、...、{ｇｆ＝０，ｇｐ＝１６０，ｇｏ＝１５９｝、
{ｇｆ＝１，ｇｐ＝１６０，ｇｏ＝０｝、{ｇｆ＝１，ｇｐ＝１６０，ｇｏ＝1｝、{ｇｆ＝１，ｇｐ＝１６０，ｇｏ＝2｝、...、{ｇｆ＝１，ｇｐ＝１６０，ｇｏ＝１５９｝、{ｇｆ＝２，ｇｐ＝１６０，ｇｏ＝０｝、{ｇｆ＝２，ｇｐ＝１６０，ｇｏ＝1｝、{ｇｆ＝２，ｇｐ＝１６０，ｇｏ＝2｝、...、{ｇｆ＝２，ｇｐ＝１６０，ｇｏ＝１５９｝
【０１２２】
（集合ｓｕの更新）
今回のＵＥ１のＣＱＩ／ＰＭＩ送信周期（５ｍｓ）は、最新（前回）の送信周期（５ｍｓ）と同一であるため、ＵＥ１の前回制御情報（関連パラメータ）をコピーして、集合ｓｕの要素｛ｇｆ＝０，ｇｐ＝１６０，ｇｏ＝０＊５｝、｛ｇｆ＝０，ｇｐ＝１６０，ｇｏ＝１＊５｝、｛ｇｆ＝０，ｇｐ＝１６０，ｇｏ＝２＊５｝、...、｛ｇｆ＝０，ｇｐ＝１６０，ｇｏ＝(ceil(160/5)-1)＊５｝、｛ｇｆ＝０，ｇｐ＝１６０，ｇｏ＝０＊５＋１｝、｛ｇｆ＝０，ｇｐ＝１６０，ｇｏ＝１＊５＋１｝、｛ｇｆ＝０，ｇｐ＝１６０，ｇｏ＝２＊５＋１｝、...、｛ｇｆ＝０，ｇｐ＝１６０，ｇｏ＝(ceil(160/5)-1)＊５＋１｝、を削除する。この結果、更新した集合ｓｕに以下の要素が残る。
{ｇｆ＝０，ｇｐ＝１６０，ｇｏ＝2〜４｝、{ｇｆ＝０，ｇｐ＝１６０，ｇｏ＝７〜９｝、{ｇｆ＝０，ｇｐ＝１６０，ｇｏ＝１2〜１４｝、｛ｇｆ＝０，ｇｐ＝１６０，ｇｏ＝１７〜１９｝、{ｇｆ＝０，ｇｐ＝１６０，ｇｏ＝２2〜２４｝、{ｇｆ＝０，ｇｐ＝１６０，ｇｏ＝２７〜２９｝、{ｇｆ＝０，ｇｐ＝１６０，ｇｏ＝３2〜３４｝、{ｇｆ＝０，ｇｐ＝１６０，ｇｏ＝３７〜３９｝、{ｇｆ＝０，ｇｐ＝１６０，ｇｏ＝４2〜４４｝、{ｇｆ＝０，ｇｐ＝１６０，ｇｏ＝４７〜４９｝、{ｇｆ＝０，ｇｐ＝１６０，ｇｏ＝５2〜５４｝、{ｇｆ＝０，ｇｐ＝１６０，ｇｏ＝５７〜５９｝、{ｇｆ＝０，ｇｐ＝１６０，ｇｏ＝６2〜６４｝、{ｇｆ＝０，ｇｐ＝１６０，ｇｏ＝６７〜６９｝、{ｇｆ＝０，ｇｐ＝１６０，ｇｏ＝７2〜７４｝、{ｇｆ＝０，ｇｐ＝１６０，ｇｏ＝７７〜７９｝、{ｇｆ＝０，ｇｐ＝１６０，ｇｏ＝８2〜８４｝、{ｇｆ＝０，ｇｐ＝１６０，ｇｏ＝８７〜８９｝、{ｇｆ＝０，ｇｐ＝１６０，ｇｏ＝９2〜９４｝、{ｇｆ＝０，ｇｐ＝１６０，ｇｏ＝９７〜９９｝、{ｇｆ＝０，ｇｐ＝１６０，ｇｏ＝１０2〜１０４｝、{ｇｆ＝０，ｇｐ＝１６０，ｇｏ＝１０７〜１０９｝、{ｇｆ＝０，ｇｐ＝１６０，ｇｏ＝１１2〜１１４｝、{ｇｆ＝０，ｇｐ＝１６０，ｇｏ＝１１７〜１１９｝、{ｇｆ＝０，ｇｐ＝１６０，ｇｏ＝１２2〜１２４｝、{ｇｆ＝０，ｇｐ＝１６０，ｇｏ＝１２７〜１２９｝、{ｇｆ＝０，ｇｐ＝１６０，ｇｏ＝１３2〜１３４｝、{ｇｆ＝０，ｇｐ＝１６０，ｇｏ＝１３７〜１３９｝、{ｇｆ＝０，ｇｐ＝１６０，ｇｏ＝１４2〜１４４｝、{ｇｆ＝０，ｇｐ＝１６０，ｇｏ＝１４７〜１４９｝、{ｇｆ＝０，ｇｐ＝１６０，ｇｏ＝１５2〜１５４｝、{ｇｆ＝０，ｇｐ＝１６０，ｇｏ＝１５７〜１５９｝、{ｇｆ＝１，ｇｐ＝１６０，ｇｏ＝０〜１５９｝、{ｇｆ＝２，ｇｐ＝１６０，ｇｏ＝０〜１５９｝
【０１２３】
今回のＵＥ２のＣＱＩ／ＰＭＩ送信周期（２ｍｓ）は、最新（前回）の送信周期（１０ｍｓ）と異なるため、集合ｓｕの更新は行わない。
今回のＵＥ３のＣＱＩ／ＰＭＩ送信周期（１０ｍｓ）は、最新（前回）の送信周期（５ｍｓ）と異なるため、集合ｓｕの更新は行わない。
今回のＵＥ４のＣＱＩ／ＰＭＩ送信周期（１０ｍｓ）は、最新（前回）の送信周期（１０ｍｓ）と同一であるため、ＵＥ４の前回制御情報（関連パラメータ）をコピーして、集合ｓｕの要素｛ｇｆ＝１，ｇｐ＝１６０，ｇｏ＝０＊１０＋３｝、｛ｇｆ＝１，ｇｐ＝１６０，ｇｏ＝１＊１０＋３｝、｛ｇｆ＝１，ｇｐ＝１６０，ｇｏ＝２＊１０＋３｝、...、｛ｇｆ＝１，ｇｐ＝１６０，ｇｏ＝(ceil(160/１０)-1)＊１０＋３｝、｛｛ｇｆ＝１，ｇｐ＝１６０，ｇｏ＝０＊１０＋２｝、｛ｇｆ＝１，ｇｐ＝１６０，ｇｏ＝１＊１０＋２｝、｛ｇｆ＝１，ｇｐ＝１６０，ｇｏ＝２＊１０＋２｝、...、｛ｇｆ＝１，ｇｐ＝１６０，ｇｏ＝(ceil(160/１０)-1)＊１０＋２｝を削除する。この結果、更新した集合ｓｕに以下の要素が残る。
{ｇｆ＝０，ｇｐ＝１６０，ｇｏ＝2〜４｝、{ｇｆ＝０，ｇｐ＝１６０，ｇｏ＝７〜９｝、{ｇｆ＝０，ｇｐ＝１６０，ｇｏ＝１2〜１４｝、｛ｇｆ＝０，ｇｐ＝１６０，ｇｏ＝１７〜１９｝、{ｇｆ＝０，ｇｐ＝１６０，ｇｏ＝２2〜２４｝、{ｇｆ＝０，ｇｐ＝１６０，ｇｏ＝２７〜２９｝、{ｇｆ＝０，ｇｐ＝１６０，ｇｏ＝３2〜３４｝、{ｇｆ＝０，ｇｐ＝１６０，ｇｏ＝３７〜３９｝、{ｇｆ＝０，ｇｐ＝１６０，ｇｏ＝４2〜４４｝、{ｇｆ＝０，ｇｐ＝１６０，ｇｏ＝４７〜４９｝、{ｇｆ＝０，ｇｐ＝１６０，ｇｏ＝５2〜５４｝、{ｇｆ＝０，ｇｐ＝１６０，ｇｏ＝５７〜５９｝、{ｇｆ＝０，ｇｐ＝１６０，ｇｏ＝６2〜６４｝、{ｇｆ＝０，ｇｐ＝１６０，ｇｏ＝６７〜６９｝、{ｇｆ＝０，ｇｐ＝１６０，ｇｏ＝７2〜７４｝、{ｇｆ＝０，ｇｐ＝１６０，ｇｏ＝７７〜７９｝、{ｇｆ＝０，ｇｐ＝１６０，ｇｏ＝８2〜８４｝、{ｇｆ＝０，ｇｐ＝１６０，ｇｏ＝８７〜８９｝、{ｇｆ＝０，ｇｐ＝１６０，ｇｏ＝９2〜９４｝、{ｇｆ＝０，ｇｐ＝１６０，ｇｏ＝９７〜９９｝、{ｇｆ＝０，ｇｐ＝１６０，ｇｏ＝１０2〜１０４｝、{ｇｆ＝０，ｇｐ＝１６０，ｇｏ＝１０７〜１０９｝、{ｇｆ＝０，ｇｐ＝１６０，ｇｏ＝１１2〜１１４｝、{ｇｆ＝０，ｇｐ＝１６０，ｇｏ＝１１７〜１１９｝、{ｇｆ＝０，ｇｐ＝１６０，ｇｏ＝１２2〜１２４｝、{ｇｆ＝０，ｇｐ＝１６０，ｇｏ＝１２７〜１２９｝、{ｇｆ＝０，ｇｐ＝１６０，ｇｏ＝１３2〜１３４｝、{ｇｆ＝０，ｇｐ＝１６０，ｇｏ＝１３７〜１３９｝、{ｇｆ＝０，ｇｐ＝１６０，ｇｏ＝１４2〜１４４｝、{ｇｆ＝０，ｇｐ＝１６０，ｇｏ＝１４７〜１４９｝、{ｇｆ＝０，ｇｐ＝１６０，ｇｏ＝１５2〜１５４｝、{ｇｆ＝０，ｇｐ＝１６０，ｇｏ＝１５７〜１５９｝、{ｇｆ＝１，ｇｐ＝１６０，ｇｏ＝０〜１｝、{ｇｆ＝１，ｇｐ＝１６０，ｇｏ＝４〜１１｝、{ｇｆ＝１，ｇｐ＝１６０，ｇｏ＝１４〜２１｝{ｇｆ＝１，ｇｐ＝１６０，ｇｏ＝２４〜３１｝、{ｇｆ＝１，ｇｐ＝１６０，ｇｏ＝３４〜４１｝、{ｇｆ＝１，ｇｐ＝１６０，ｇｏ＝４４〜５１｝、{ｇｆ＝１，ｇｐ＝１６０，ｇｏ＝５４〜６１｝、{ｇｆ＝１，ｇｐ＝１６０，ｇｏ＝６４〜７１｝、{ｇｆ＝１，ｇｐ＝１６０，ｇｏ＝７４〜８１｝、{ｇｆ＝１，ｇｐ＝１６０，ｇｏ＝８４〜９１｝、{ｇｆ＝１，ｇｐ＝１６０，ｇｏ＝９４
〜１０１｝、{ｇｆ＝１，ｇｐ＝１６０，ｇｏ＝１０４〜１１１｝、{ｇｆ＝１，ｇｐ＝１６０，ｇｏ＝１１４〜１２１｝、{ｇｆ＝１，ｇｐ＝１６０，ｇｏ＝１２４〜１３１｝、{ｇｆ＝１，ｇｐ＝１６０，ｇｏ＝１３４〜１４１｝、{ｇｆ＝１，ｇｐ＝１６０，ｇｏ＝１４４〜１５１｝、{ｇｆ＝１，ｇｐ＝１６０，ｇｏ＝１５４〜１５９｝{ｇｆ＝２，ｇｐ＝１６０，ｇｏ＝０〜１５９｝
【０１２４】
今回のＵＥ５のＣＱＩ／ＰＭＩ送信周期（１０ｍｓ）は、最新（前回）の送信周期（１０ｍｓ）と同一であるため、ＵＥ５の前回制御情報（関連パラメータ）をコピーして、集合ｓｕの要素｛ｇｆ＝２，ｇｐ＝１６０，ｇｏ＝０＊１０｝、｛ｇｆ＝２，ｇｐ＝１６０，ｇｏ＝１＊１０｝、｛ｇｆ＝２，ｇｐ＝１６０，ｇｏ＝２＊１０｝、...、｛ｇｆ＝２，ｇｐ＝１６０，ｇｏ＝(ceil(160/１０)-1)＊１０｝、｛｛ｇｆ＝２，ｇｐ＝１６０，ｇｏ＝０＊１０＋１｝、｛ｇｆ＝２，ｇｐ＝１６０，ｇｏ＝１＊１０＋１｝、｛ｇｆ＝２，ｇｐ＝１６０，ｇｏ＝２＊１０＋１｝、...、｛ｇｆ＝２，ｇｐ＝１６０，ｇｏ＝(ceil(160/１０)-1)＊１０＋１｝を削除する。この結果、更新した集合ｓｕに以下の要素が残る。
{ｇｆ＝０，ｇｐ＝１６０，ｇｏ＝2〜４｝、{ｇｆ＝０，ｇｐ＝１６０，ｇｏ＝７〜９｝、{ｇｆ＝０，ｇｐ＝１６０，ｇｏ＝１2〜１４｝、｛ｇｆ＝０，ｇｐ＝１６０，ｇｏ＝１７〜１９｝、{ｇｆ＝０，ｇｐ＝１６０，ｇｏ＝２2〜２４｝、{ｇｆ＝０，ｇｐ＝１６０，ｇｏ＝２７〜２９｝、{ｇｆ＝０，ｇｐ＝１６０，ｇｏ＝３2〜３４｝、{ｇｆ＝０，ｇｐ＝１６０，ｇｏ＝３７〜３９｝、{ｇｆ＝０，ｇｐ＝１６０，ｇｏ＝４2〜４４｝、{ｇｆ＝０，ｇｐ＝１６０，ｇｏ＝４７〜４９｝、{ｇｆ＝０，ｇｐ＝１６０，ｇｏ＝５2〜５４｝、{ｇｆ＝０，ｇｐ＝１６０，ｇｏ＝５７〜５９｝、{ｇｆ＝０，ｇｐ＝１６０，ｇｏ＝６2〜６４｝、{ｇｆ＝０，ｇｐ＝１６０，ｇｏ＝６７〜６９｝、{ｇｆ＝０，ｇｐ＝１６０，ｇｏ＝７2〜７４｝、{ｇｆ＝０，ｇｐ＝１６０，ｇｏ＝７７〜７９｝、{ｇｆ＝０，ｇｐ＝１６０，ｇｏ＝８2〜８４｝、{ｇｆ＝０，ｇｐ＝１６０，ｇｏ＝８７〜８９｝、{ｇｆ＝０，ｇｐ＝１６０，ｇｏ＝９2〜９４｝、{ｇｆ＝０，ｇｐ＝１６０，ｇｏ＝９７〜９９｝、{ｇｆ＝０，ｇｐ＝１６０，ｇｏ＝１０2〜１０４｝、{ｇｆ＝０，ｇｐ＝１６０，ｇｏ＝１０７〜１０９｝、{ｇｆ＝０，ｇｐ＝１６０，ｇｏ＝１１2〜１１４｝、{ｇｆ＝０，ｇｐ＝１６０，ｇｏ＝１１７〜１１９｝、{ｇｆ＝０，ｇｐ＝１６０，ｇｏ＝１２2〜１２４｝、{ｇｆ＝０，ｇｐ＝１６０，ｇｏ＝１２７〜１２９｝、{ｇｆ＝０，ｇｐ＝１６０，ｇｏ＝１３2〜１３４｝、{ｇｆ＝０，ｇｐ＝１６０，ｇｏ＝１３７〜１３９｝、{ｇｆ＝０，ｇｐ＝１６０，ｇｏ＝１４2〜１４４｝、{ｇｆ＝０，ｇｐ＝１６０，ｇｏ＝１４７〜１４９｝、{ｇｆ＝０，ｇｐ＝１６０，ｇｏ＝１５2〜１５４｝、{ｇｆ＝０，ｇｐ＝１６０，ｇｏ＝１５７〜１５９｝、{ｇｆ＝１，ｇｐ＝１６０，ｇｏ＝０〜１｝、{ｇｆ＝１，ｇｐ＝１６０，ｇｏ＝４〜１１｝、{ｇｆ＝１，ｇｐ＝１６０，ｇｏ＝１４〜２１｝{ｇｆ＝１，ｇｐ＝１６０，ｇｏ＝２４〜３１｝、{ｇｆ＝１，ｇｐ＝１６０，ｇｏ＝３４〜４１｝、{ｇｆ＝１，ｇｐ＝１６０，ｇｏ＝４４〜５１｝、{ｇｆ＝１，ｇｐ＝１６０，ｇｏ＝５４〜６１｝、{ｇｆ＝１，ｇｐ＝１６０，ｇｏ＝６４〜７１｝、{ｇｆ＝１，ｇｐ＝１６０，ｇｏ＝７４〜８１｝、{ｇｆ＝１，ｇｐ＝１６０，ｇｏ＝８４〜９１｝、{ｇｆ＝１，ｇｐ＝１６０，ｇｏ＝９４
〜１０１｝、{ｇｆ＝１，ｇｐ＝１６０，ｇｏ＝１０４〜１１１｝、{ｇｆ＝１，ｇｐ＝１６０，ｇｏ＝１１４〜１２１｝、{ｇｆ＝１，ｇｐ＝１６０，ｇｏ＝１２４〜１３１｝、{ｇｆ＝１，ｇｐ＝１６０，ｇｏ＝１３４〜１４１｝、{ｇｆ＝１，ｇｐ＝１６０，ｇｏ＝１４４〜１５１｝、{ｇｆ＝１，ｇｐ＝１６０，ｇｏ＝１５４〜１５９｝{ｇｆ＝２，ｇｐ＝１６０，ｇｏ＝２〜９｝、{ｇｆ＝２，ｇｐ＝１６０，ｇｏ＝１２〜１９｝、{ｇｆ＝２，ｇｐ＝１６０，ｇｏ＝２２〜２９｝、{ｇｆ＝２，ｇｐ＝１６０，ｇｏ＝３２〜３９｝、{ｇｆ＝２，ｇｐ＝１６０，ｇｏ＝４２〜４９｝、{ｇｆ＝２，ｇｐ＝１６０，ｇｏ＝５２〜５９｝、{ｇｆ＝２，ｇｐ＝１６０，ｇｏ＝６２〜６９｝、{ｇｆ＝２，ｇｐ＝１６０，ｇｏ＝７２〜７９｝、{ｇｆ＝２，ｇｐ＝１６０，ｇｏ＝８２〜８９｝、{ｇｆ＝２，ｇｐ＝１６０，ｇｏ＝９２〜９９｝、{ｇｆ＝２，ｇｐ＝１６０，ｇｏ＝１０２〜１０９｝、{ｇｆ＝２，ｇｐ＝１６０，ｇｏ＝１１２〜１１９｝、{ｇｆ＝２，ｇｐ＝１６０，ｇｏ＝１２２〜１２９｝、{ｇｆ＝２，ｇｐ＝１６０，ｇｏ＝１３２〜１３９｝、{ｇｆ＝２，ｇｐ＝１６０，ｇｏ＝１４２〜１４９｝、{ｇｆ＝２，ｇｐ＝１６０，ｇｏ＝１５２〜１５９｝
【０１２５】
（ＵＥ２、ＵＥ３を対象とし、制御情報（関連パラメータ）を決定）
ＵＥ２のＣＱＩ／ＰＭＩ送信周期は２ｍｓであるため、ＵＥ２のＳＲＳ送信ＳｕｂｆｒａｍｅのＯｆｆｓｅｔ値を３と仮定した場合、奇数のｇｏを他のＵＥに付与していないｇｆと、２より小さいｇｏとを含む組合せを選択する。この例では、該当する組合せが存在しないため、ＵＥ２のＣＱＩ／ＰＭＩ送信周期を更新する。ここで、ＵＥ２のＳＲＳ信号送信周期≠２ｍｓと仮定する場合、ＵＥ２のＣＱＩ／ＰＭＩ送信周期を５ｍｓに更新する。ＵＥ２の関連パラメータを決定するため、ｇｏが５より小さい組合せを集合ｓｕから選択する。選択した組合せを以下に示す。
{ｇｆ＝０，ｇｐ＝１６０，ｇｏ＝2〜４｝、{ｇｆ＝１，ｇｐ＝１６０，ｇｏ＝０〜１｝、{ｇｆ＝１，ｇｐ＝１６０，ｇｏ＝４｝、{ｇｆ＝２，ｇｐ＝１６０，ｇｏ＝２〜４｝
この選択した組合せから、{ｇｆ＝１，ｇｐ＝１６０，ｇｏ＝０〜１｝を利用して、ＵＥ２の関連パラメータを以下の通りに決定する。
Ｎｐ（２）＝５ｍｓ、Ｎｏｆｆｓｅｔ，ＣＱＩ（２）＝１、ｎＰＵＣＣＨ（２）（２）＝１、ＭＲＩ（２）＝１、Ｎｏｆｆｓｅｔ，ＲＩ（２）＝−１、Ｆａｐｅｒｉｏｄｉｃ（２）＝１、Ｆｓｕｂｂａｎｄ−ＣＱＩ（２）＝１
【０１２６】
ＵＥ２の関連パラメータが決定された後に、集合ｓｕの要素｛ｇｆ＝１，ｇｐ＝１６０，ｇｏ＝０＊５｝、｛ｇｆ＝１，ｇｐ＝１６０，ｇｏ＝１＊５｝、｛ｇｆ＝１，ｇｐ＝１６０，ｇｏ＝２＊５｝、...、｛ｇｆ＝１，ｇｐ＝１６０，ｇｏ＝(ceil(160/５)-1)＊５｝、｛ｇｆ＝１，ｇｐ＝１６０，ｇｏ＝０＊５＋１｝、｛ｇｆ＝１，ｇｐ＝１６０，ｇｏ＝１＊５＋１｝、｛ｇｆ＝１，ｇｐ＝１６０，ｇｏ＝２＊５＋１｝、...、｛ｇｆ＝１，ｇｐ＝１６０，ｇｏ＝(ceil(160/５)-1)＊５＋１｝を削除する。この結果、更新した集合ｓｕに以下の要素が残る。
{ｇｆ＝０，ｇｐ＝１６０，ｇｏ＝2〜４｝、{ｇｆ＝０，ｇｐ＝１６０，ｇｏ＝７〜９｝、{ｇｆ＝０，ｇｐ＝１６０，ｇｏ＝１2〜１４｝、｛ｇｆ＝０，ｇｐ＝１６０，ｇｏ＝１７〜１９｝、{ｇｆ＝０，ｇｐ＝１６０，ｇｏ＝２2〜２４｝、{ｇｆ＝０，ｇｐ＝１６０，ｇｏ＝２７〜２９｝、{ｇｆ＝０，ｇｐ＝１６０，ｇｏ＝３2〜３４｝、{ｇｆ＝０，ｇｐ＝１６０，ｇｏ＝３７〜３９｝、{ｇｆ＝０，ｇｐ＝１６０，ｇｏ＝４2〜４４｝、{ｇｆ＝０，ｇｐ＝１６０，ｇｏ＝４７〜４９｝、{ｇｆ＝０，ｇｐ＝１６０，ｇｏ＝５2〜５４｝、{ｇｆ＝０，ｇｐ＝１６０，ｇｏ＝５７〜５９｝、{ｇｆ＝０，ｇｐ＝１６０，ｇｏ＝６2〜６４｝、{ｇｆ＝０，ｇｐ＝１６０，ｇｏ＝６７〜６９｝、{ｇｆ＝０，ｇｐ＝１６０，ｇｏ＝７2〜７４｝、{ｇｆ＝０，ｇｐ＝１６０，ｇｏ＝７７〜７９｝、{ｇｆ＝０，ｇｐ＝１６０，ｇｏ＝８2〜８４｝、{ｇｆ＝０，ｇｐ＝１６０，ｇｏ＝８７〜８９｝、{ｇｆ＝０，ｇｐ＝１６０，ｇｏ＝９2〜９４｝、{ｇｆ＝０，ｇｐ＝１６０，ｇｏ＝９７〜９９｝、{ｇｆ＝０，ｇｐ＝１６０，ｇｏ＝１０2〜１０４｝、{ｇｆ＝０，ｇｐ＝１６０，ｇｏ＝１０７〜１０９｝、{ｇｆ＝０，ｇｐ＝１６０，ｇｏ＝１１2〜１１４｝、{ｇｆ＝０，ｇｐ＝１６０，ｇｏ＝１１７〜１１９｝、{ｇｆ＝０，ｇｐ＝１６０，ｇｏ＝１２2〜１２４｝、{ｇｆ＝０，ｇｐ＝１６０，ｇｏ＝１２７〜１２９｝、{ｇｆ＝０，ｇｐ＝１６０，ｇｏ＝１３2〜１３４｝、{ｇｆ＝０，ｇｐ＝１６０，ｇｏ＝１３７〜１３９｝、{ｇｆ＝０，ｇｐ＝１６０，ｇｏ＝１４2〜１４４｝、{ｇｆ＝０，ｇｐ＝１６０，ｇｏ＝１４７〜１４９｝、{ｇｆ＝０，ｇｐ＝１６０，ｇｏ＝１５2〜１５４｝、{ｇｆ＝０，ｇｐ＝１６０，ｇｏ＝１５７〜１５９｝、{ｇｆ＝１，ｇｐ＝１６０，ｇｏ＝４}、{ｇｆ＝１，ｇｐ＝１６０，ｇｏ＝７〜９｝、{ｇｆ＝１，ｇｐ＝１６０，ｇｏ＝１４、１７〜１９｝{ｇｆ＝１，ｇｐ＝１６０，ｇｏ＝２４、２７〜２９｝、{ｇｆ＝１，ｇｐ＝１６０，ｇｏ＝３４、３７〜３９｝、{ｇｆ＝１，ｇｐ＝１６０，ｇｏ＝４４、４７〜４９｝、{ｇｆ＝１，ｇｐ＝１６０，ｇｏ＝５４、５７〜５９｝、{ｇｆ＝１，ｇｐ＝１６０，ｇｏ＝６４、６７〜６９｝、{ｇｆ＝１，ｇｐ＝１６０，ｇｏ＝７４、７７〜７９｝、{ｇｆ＝１，ｇｐ＝１６０，ｇｏ＝８４、８７〜８
９｝、{ｇｆ＝１，ｇｐ＝１６０，ｇｏ＝９４、９７〜９９｝、{ｇｆ＝１，ｇｐ＝１６０，ｇｏ＝１０４、１０７〜１０９｝、{ｇｆ＝１，ｇｐ＝１６０，ｇｏ＝１１４、１１７〜１１９｝、{ｇｆ＝１，ｇｐ＝１６０，ｇｏ＝１２４、１２７〜１２９｝、{ｇｆ＝１，ｇｐ＝１６０，ｇｏ＝１３４、１３７〜１３９｝、{ｇｆ＝１，ｇｐ＝１６０，ｇｏ＝１４４、１４７〜１４９｝、{ｇｆ＝１，ｇｐ＝１６０，ｇｏ＝１５４、１５７〜１５９｝{ｇｆ＝２，ｇｐ＝１６０，ｇｏ＝２〜９｝、{ｇｆ＝２，ｇｐ＝１６０，ｇｏ＝１２〜１９｝、{ｇｆ＝２，ｇｐ＝１６０，ｇｏ＝２２〜２９｝、{ｇｆ＝２，ｇｐ＝１６０，ｇｏ＝３２〜３９｝、{ｇｆ＝２，ｇｐ＝１６０，ｇｏ＝４２〜４９｝、{ｇｆ＝２，ｇｐ＝１６０，ｇｏ＝５２〜５９｝、{ｇｆ＝２，ｇｐ＝１６０，ｇｏ＝６２〜６９｝、{ｇｆ＝２，ｇｐ＝１６０，ｇｏ＝７２〜７９｝、{ｇｆ＝２，ｇｐ＝１６０，ｇｏ＝８２〜８９｝、{ｇｆ＝２，ｇｐ＝１６０，ｇｏ＝９２〜９９｝、{ｇｆ＝２，ｇｐ＝１６０，ｇｏ＝１０２〜１０９｝、{ｇｆ＝２，ｇｐ＝１６０，ｇｏ＝１１２〜１１９｝、{ｇｆ＝２，ｇｐ＝１６０，ｇｏ＝１２２〜１２９｝、{ｇｆ＝２，ｇｐ＝１６０，ｇｏ＝１３２〜１３９｝、{ｇｆ＝２，ｇｐ＝１６０，ｇｏ＝１４２〜１４９｝、{ｇｆ＝２，ｇｐ＝１６０，ｇｏ＝１５２〜１５９｝
【０１２７】
ＵＥ３の関連パラメータを決定するため、ｇｏが１０より小さい組合せを集合ｓｕから選択する。選択した組合せを以下に示す。選択した組合せを以下に示す。ここで、ＵＥ３のＳＲＳ信号送信周期を５ｍｓ、Offsetを０と仮定する。
{ｇｆ＝０，ｇｐ＝１６０，ｇｏ＝2〜４｝、{ｇｆ＝０，ｇｐ＝１６０，ｇｏ＝７〜９｝、{ｇｆ＝１，ｇｐ＝１６０，ｇｏ＝４}、{ｇｆ＝１，ｇｐ＝１６０，ｇｏ＝７〜９｝、{ｇｆ＝２，ｇｐ＝１６０，ｇｏ＝２〜９｝
この選択した組合せから、{ｇｆ＝０，ｇｐ＝１６０，ｇｏ＝２〜３｝を利用して、ＵＥ３の関連パラメータを以下の通りに決定する。
Ｎｐ（３）＝１０ｍｓ、Ｎｏｆｆｓｅｔ，ＣＱＩ（３）＝３、ｎＰＵＣＣＨ（２）（３）＝０、ＭＲＩ（２）＝１、Ｎｏｆｆｓｅｔ，ＲＩ（２）＝−１、Ｆａｐｅｒｉｏｄｉｃ（２）＝０、Ｆｓｕｂｂａｎｄ−ＣＱＩ（２）＝１
【０１２８】
ＵＥ３の関連パラメータが決定された後に、集合ｓｕの要素｛ｇｆ＝０，ｇｐ＝１６０，ｇｏ＝０＊１０＋２｝、｛ｇｆ＝０，ｇｐ＝１６０，ｇｏ＝１＊１０＋２｝、｛ｇｆ＝０，ｇｐ＝１６０，ｇｏ＝２＊１０＋２｝、...、｛ｇｆ＝０，ｇｐ＝１６０，ｇｏ＝(ceil(160/１０)-1)＊１０＋２｝、｛ｇｆ＝０，ｇｐ＝１６０，ｇｏ＝０＊１０＋３｝、｛ｇｆ＝０，ｇｐ＝１６０，ｇｏ＝１＊１０＋３｝、｛ｇｆ＝０，ｇｐ＝１６０，ｇｏ＝２＊１０＋３｝、...、｛ｇｆ＝０，ｇｐ＝１６０，ｇｏ＝(ceil(160/１０)-1)＊１０＋３｝を削除する。この結果、更新した集合ｓｕに以下の要素が残る。
{ｇｆ＝０，ｇｐ＝１６０，ｇｏ＝４｝、{ｇｆ＝０，ｇｐ＝１６０，ｇｏ＝７〜９｝、{ｇｆ＝０，ｇｐ＝１６０，ｇｏ＝１４｝、｛ｇｆ＝０，ｇｐ＝１６０，ｇｏ＝１７〜１９｝、{ｇｆ＝０，ｇｐ＝１６０，ｇｏ＝２４｝、{ｇｆ＝０，ｇｐ＝１６０，ｇｏ＝２７〜２９｝、{ｇｆ＝０，ｇｐ＝１６０，ｇｏ＝３４｝、{ｇｆ＝０，ｇｐ＝１６０，ｇｏ＝３７〜３９｝、{ｇｆ＝０，ｇｐ＝１６０，ｇｏ＝４４｝、{ｇｆ＝０，ｇｐ＝１６０，ｇｏ＝４７〜４９｝、{ｇｆ＝０，ｇｐ＝１６０，ｇｏ＝５４｝、{ｇｆ＝０，ｇｐ＝１６０，ｇｏ＝５７〜５９｝、{ｇｆ＝０，ｇｐ＝１６０，ｇｏ＝６４｝、{ｇｆ＝０，ｇｐ＝１６０，ｇｏ＝６７〜６９｝、{ｇｆ＝０，ｇｐ＝１６０，ｇｏ＝７４｝、{ｇｆ＝０，ｇｐ＝１６０，ｇｏ＝７７〜７９｝、{ｇｆ＝０，ｇｐ＝１６０，ｇｏ＝８４｝、{ｇｆ＝０，ｇｐ＝１６０，ｇｏ＝８７〜８９｝、{ｇｆ＝０，ｇｐ＝１６０，ｇｏ＝９４｝、{ｇｆ＝０，ｇｐ＝１６０，ｇｏ＝９７〜９９｝、{ｇｆ＝０，ｇｐ＝１６０，ｇｏ＝１０４｝、{ｇｆ＝０，ｇｐ＝１６０，ｇｏ＝１０７〜１０９｝、{ｇｆ＝０，ｇｐ＝１６０，ｇｏ＝１１４｝、{ｇｆ＝０，ｇｐ＝１６０，ｇｏ＝１１７〜１１９｝、{ｇｆ＝０，ｇｐ＝１６０，ｇｏ＝１２４｝、{ｇｆ＝０，ｇｐ＝１６０，ｇｏ＝１２７〜１２９｝、{ｇｆ＝０，ｇｐ＝１６０，ｇｏ＝１３４｝、{ｇｆ＝０，ｇｐ＝１６０，ｇｏ＝１３７〜１３９｝、{ｇｆ＝０，ｇｐ＝１６０，ｇｏ＝１４４｝、{ｇｆ＝０，ｇｐ＝１６０，ｇｏ＝１４７〜１４９｝、{ｇｆ＝０，ｇｐ＝１６０，ｇｏ＝１５４｝、{ｇｆ＝０，ｇｐ＝１６０，ｇｏ＝１５７〜１５９｝、{ｇｆ＝１，ｇｐ＝１６０，ｇｏ＝４}、{ｇｆ＝１，ｇｐ＝１６０，ｇｏ＝７〜９｝、{ｇｆ＝１，ｇｐ＝１６０，ｇｏ＝１４、１７〜１９｝{ｇｆ＝１，ｇｐ＝１６０，ｇｏ＝２４、２７〜２９｝、{ｇｆ＝１，ｇｐ＝１６０，ｇｏ＝３４、３７〜３９｝、{ｇｆ＝１，ｇｐ＝１６０，ｇｏ＝４４、４７〜４９｝、{ｇｆ＝１，ｇｐ＝１６０，ｇｏ＝５４、５７〜５９｝、{ｇｆ＝１，ｇｐ＝１６０，ｇｏ＝６４、６７〜６９｝、{ｇｆ＝１，ｇｐ＝１６０，ｇｏ＝７４、７７〜７９｝、{ｇｆ＝１，ｇｐ＝１６０，ｇｏ＝８４、８７〜８９｝、{ｇｆ＝１，ｇｐ＝１６０，ｇｏ＝９４、９７〜９９｝、{ｇｆ＝１，ｇｐ＝１６０，ｇｏ＝１０４、１０７〜
１０９｝、{ｇｆ＝１，ｇｐ＝１６０，ｇｏ＝１１４、１１７〜１１９｝、{ｇｆ＝１，ｇｐ＝１６０，ｇｏ＝１２４、１２７〜１２９｝、{ｇｆ＝１，ｇｐ＝１６０，ｇｏ＝１３４、１３７〜１３９｝、{ｇｆ＝１，ｇｐ＝１６０，ｇｏ＝１４４、１４７〜１４９｝、{ｇｆ＝１，ｇｐ＝１６０，ｇｏ＝１５４、１５７〜１５９｝{ｇｆ＝２，ｇｐ＝１６０，ｇｏ＝２〜９｝、{ｇｆ＝２，ｇｐ＝１６０，ｇｏ＝１２〜１９｝、{ｇｆ＝２，ｇｐ＝１６０，ｇｏ＝２２〜２９｝、{ｇｆ＝２，ｇｐ＝１６０，ｇｏ＝３２〜３９｝、{ｇｆ＝２，ｇｐ＝１６０，ｇｏ＝４２〜４９｝、{ｇｆ＝２，ｇｐ＝１６０，ｇｏ＝５２〜５９｝、{ｇｆ＝２，ｇｐ＝１６０，ｇｏ＝６２〜６９｝、{ｇｆ＝２，ｇｐ＝１６０，ｇｏ＝７２〜７９｝、{ｇｆ＝２，ｇｐ＝１６０，ｇｏ＝８２〜８９｝、{ｇｆ＝２，ｇｐ＝１６０，ｇｏ＝９２〜９９｝、{ｇｆ＝２，ｇｐ＝１６０，ｇｏ＝１０２〜１０９｝、{ｇｆ＝２，ｇｐ＝１６０，ｇｏ＝１１２〜１１９｝、{ｇｆ＝２，ｇｐ＝１６０，ｇｏ＝１２２〜１２９｝、{ｇｆ＝２，ｇｐ＝１６０，ｇｏ＝１３２〜１３９｝、{ｇｆ＝２，ｇｐ＝１６０，ｇｏ＝１４２〜１４９｝、{ｇｆ＝２，ｇｐ＝１６０，ｇｏ＝１５２〜１５９｝
【０１２９】
なお、新規に、ＣＱＩ／ＰＭＩ送信周期５ｍｓのＵＥ６（ＭＩＭＯをサポート）の関連パラメータを決定するときは、上記集合ｓｕを利用する。例えば、ＵＥ６のＳＲＳ送信ＳｕｂｆｒａｍｅのＯｆｆｓｅｔ値は３、ＳＲＳ送信周期を５ｍｓと仮定した場合、ＵＥ６の関連パラメータを決定するため、ｇｏが５より小さい組合せを集合ｓｕから選択する。選択した組合せを以下に示す。
{ｇｆ＝０，ｇｐ＝１６０，ｇｏ＝４｝{ｇｆ＝１，ｇｐ＝１６０，ｇｏ＝４}、{ｇｆ＝２，ｇｐ＝１６０，ｇｏ＝２〜４｝
この選択した組合せから{ｇｆ＝２，ｇｐ＝１６０，ｇｏ＝２〜３｝を利用してＵＥ６の関連パラメータを決定し、集合ｓｕを更新する。なお、更新したｓｕは以下の組合せを含む。
{ｇｆ＝０，ｇｐ＝１６０，ｇｏ＝４｝、{ｇｆ＝０，ｇｐ＝１６０，ｇｏ＝７〜９｝、{ｇｆ＝０，ｇｐ＝１６０，ｇｏ＝１４｝、｛ｇｆ＝０，ｇｐ＝１６０，ｇｏ＝１７〜１９｝、{ｇｆ＝０，ｇｐ＝１６０，ｇｏ＝２４｝、{ｇｆ＝０，ｇｐ＝１６０，ｇｏ＝２７〜２９｝、{ｇｆ＝０，ｇｐ＝１６０，ｇｏ＝３４｝、{ｇｆ＝０，ｇｐ＝１６０，ｇｏ＝３７〜３９｝、{ｇｆ＝０，ｇｐ＝１６０，ｇｏ＝４４｝、{ｇｆ＝０，ｇｐ＝１６０，ｇｏ＝４７〜４９｝、{ｇｆ＝０，ｇｐ＝１６０，ｇｏ＝５４｝、{ｇｆ＝０，ｇｐ＝１６０，ｇｏ＝５７〜５９｝、{ｇｆ＝０，ｇｐ＝１６０，ｇｏ＝６４｝、{ｇｆ＝０，ｇｐ＝１６０，ｇｏ＝６７〜６９｝、{ｇｆ＝０，ｇｐ＝１６０，ｇｏ＝７４｝、{ｇｆ＝０，ｇｐ＝１６０，ｇｏ＝７７〜７９｝、{ｇｆ＝０，ｇｐ＝１６０，ｇｏ＝８４｝、{ｇｆ＝０，ｇｐ＝１６０，ｇｏ＝８７〜８９｝、{ｇｆ＝０，ｇｐ＝１６０，ｇｏ＝９４｝、{ｇｆ＝０，ｇｐ＝１６０，ｇｏ＝９７〜９９｝、{ｇｆ＝０，ｇｐ＝１６０，ｇｏ＝１０４｝、{ｇｆ＝０，ｇｐ＝１６０，ｇｏ＝１０７〜１０９｝、{ｇｆ＝０，ｇｐ＝１６０，ｇｏ＝１１４｝、{ｇｆ＝０，ｇｐ＝１６０，ｇｏ＝１１７〜１１９｝、{ｇｆ＝０，ｇｐ＝１６０，ｇｏ＝１２４｝、{ｇｆ＝０，ｇｐ＝１６０，ｇｏ＝１２７〜１２９｝、{ｇｆ＝０，ｇｐ＝１６０，ｇｏ＝１３４｝、{ｇｆ＝０，ｇｐ＝１６０，ｇｏ＝１３７〜１３９｝、{ｇｆ＝０，ｇｐ＝１６０，ｇｏ＝１４４｝、{ｇｆ＝０，ｇｐ＝１６０，ｇｏ＝１４７〜１４９｝、{ｇｆ＝０，ｇｐ＝１６０，ｇｏ＝１５４｝、{ｇｆ＝０，ｇｐ＝１６０，ｇｏ＝１５７〜１５９｝、{ｇｆ＝１，ｇｐ＝１６０，ｇｏ＝４}、{ｇｆ＝１，ｇｐ＝１６０，ｇｏ＝７〜９｝、{ｇｆ＝１，ｇｐ＝１６０，ｇｏ＝１４、１７〜１９｝{ｇｆ＝１，ｇｐ＝１６０，ｇｏ＝２４、２７〜２９｝、{ｇｆ＝１，ｇｐ＝１６０，ｇｏ＝３４、３７〜３９｝、{ｇｆ＝１，ｇｐ＝１６０，ｇｏ＝４４、４７〜４９｝、{ｇｆ＝１，ｇｐ＝１６０，ｇｏ＝５４、５７〜５９｝、{ｇｆ＝１，ｇｐ＝１６０，ｇｏ＝６４、６７〜６９｝、{ｇｆ＝１，ｇｐ＝１６０，ｇｏ＝７４、７７〜７９｝、{ｇｆ＝１，ｇｐ＝１６０，ｇｏ＝８４、８７〜８９｝、{ｇｆ＝１，ｇｐ＝１６０，ｇｏ＝９４、９７〜９９｝、{ｇｆ＝１，ｇｐ＝１６０，ｇｏ＝１０４、１０７〜
１０９｝、{ｇｆ＝１，ｇｐ＝１６０，ｇｏ＝１１４、１１７〜１１９｝、{ｇｆ＝１，ｇｐ＝１６０，ｇｏ＝１２４、１２７〜１２９｝、{ｇｆ＝１，ｇｐ＝１６０，ｇｏ＝１３４、１３７〜１３９｝、{ｇｆ＝１，ｇｐ＝１６０，ｇｏ＝１４４、１４７〜１４９｝、{ｇｆ＝１，ｇｐ＝１６０，ｇｏ＝１５４、１５７〜１５９｝{ｇｆ＝２，ｇｐ＝１６０，ｇｏ＝４〜６、９｝、{ｇｆ＝２，ｇｐ＝１６０，ｇｏ＝１４〜１６、１９｝、{ｇｆ＝２，ｇｐ＝１６０，ｇｏ＝２４〜２６、２９｝、{ｇｆ＝２，ｇｐ＝１６０，ｇｏ＝３４〜３６、３９｝、{ｇｆ＝２，ｇｐ＝１６０，ｇｏ＝４４〜４６、４９｝、{ｇｆ＝２，ｇｐ＝１６０，ｇｏ＝５４〜５６、５９｝、{ｇｆ＝２，ｇｐ＝１６０，ｇｏ＝６４〜６６、６９｝、{ｇｆ＝２，ｇｐ＝１６０，ｇｏ＝７４〜７６、７９｝、{ｇｆ＝２，ｇｐ＝１６０，ｇｏ＝８４〜８６、８９｝、{ｇｆ＝２，ｇｐ＝１６０，ｇｏ＝９４〜９６、９９｝、{ｇｆ＝２，ｇｐ＝１６０，ｇｏ＝１０４〜１０６、１０９｝、{ｇｆ＝２，ｇｐ＝１６０，ｇｏ＝１１４〜１１６、１１９｝、{ｇｆ＝２，ｇｐ＝１６０，ｇｏ＝１２４〜１２６、１２９｝、{ｇｆ＝２，ｇｐ＝１６０，ｇｏ＝１３４〜１３６、１３９｝、{ｇｆ＝２，ｇｐ＝１６０，ｇｏ＝１４４〜１４６、１４９｝、{ｇｆ＝２，ｇｐ＝１６０，ｇｏ＝１５４〜１５６、１５９｝
【０１３０】
続いて、具体例２として、パラメータ決定順序を説明する。なお、本例において、ＵＥ数は、２ｍｓのＵＥは２０人（機）、５ｍｓのＵＥは２０人、１０ｍｓのＵＥは２０人であるものとする。また、Ｐは利用できるＲＢ数（Ｐ＝２とする）、ｍはＰＵＣＣＨ  ｆｏｒｍａｔ  ＩＤ、ｎはＣＱＩの送信Ｓｕｂｆｒａｍｅ  Ｏｆｆｓｅｔである。
【０１３１】
信号割当装置１０のパラメータ決定順序（図１５（ａ）の場合、２ｍｓのＵＥ２０人は、ｍ＝０〜９、ｎ＝０、１を使う。５ｍｓのＵＥのうち１４人は、ｍ＝１０〜２３、ｎ＝０を使う。５ｍｓのＵＥのうち６人は、ｍ＝１０〜１５、ｎ＝１を使う。１０ｍｓのＵＥのうち８人は、ｍ＝１６〜２３、ｎ＝１を使う。１０ｍｓのＵＥのうち１２人は、ｍ＝１０〜２１、ｎ＝２を使う。従って、サブフレーム毎のＣＱＩ／ＰＭＩ／ＲＩフィードバック用ＲＢ数は以下のようになる。
（各サブフレームの使用ＲＢ数）
Ｓｕｂｆｒａｍｅ０：２ＲＢ
Ｓｕｂｆｒａｍｅ１：２ＲＢ
Ｓｕｂｆｒａｍｅ２：２ＲＢ
Ｓｕｂｆｒａｍｅ３：０ＲＢ
Ｓｕｂｆｒａｍｅ４：０ＲＢ
従って、ＣＱＩ／ＰＭＩ／ＲＩフィードバック用リソースの割合は、以下のように算出される。
（ＣＱＩ／ＰＭＩ／ＲＩフィードバック用リソースの割合）
ＣＱＩ／ＰＭＩ／ＲＩフィードバック用リソースの割合＝（２＋２＋２＋０＋０）／５０×５＝６／２５０となる。
【０１３２】
一方、パラメータ決定順序（図１５（ｂ）の場合、２ｍｓのＵＥ２０人は、ｍ＝０〜９、ｎ＝０、１を使う。５ｍｓのＵＥ２０人は、ｍ＝１０〜１３、ｎ＝０〜４を使う。１０ｍｓのＵＥ２０人は、ｍ＝１４〜１５、ｎ＝０〜９を使う。従って、サブフレーム毎のＣＱＩ／ＰＭＩ／ＲＩフィードバック用ＲＢ数は以下のようになる。
（各サブフレームのＣＱＩ／ＰＭＩ／ＲＩフィードバック用ＲＢ数）
Ｓｕｂｆｒａｍｅ毎：２ＲＢ
従って、ＣＱＩ／ＰＭＩ／ＲＩフィードバック用ソースの割合は、以下のように算出される。
（ＣＱＩ／ＰＭＩ／ＲＩフィードバック用リソースの割合）
ＣＱＩ／ＰＭＩ／ＲＩフィードバック用リソースの割合＝（２）／５０＝２／５０となる。
【０１３３】
６／２５０＜２／５０が示すように、図１５（ｂ）に比べ（図１５（ａ）の方が、ＣＱＩ／ＰＭＩ／ＲＩフィードバック用リソースの割合が少なく、無線リソースを有効利用することができる。
【０１３４】
以上、本発明の一実施形態による信号割当装置１０によれば、前回と同じフィードバック信号の送信周期Ｎｐ（ｕ）であり、かつ、前回と同じ送信繰り返し回数Ｋ（ｕ）であるＵＥについては、前回決定した関連パラメータを今回の関連パラメータとして決定するため、当該ＵＥに対しては、再度、ＲＲＣメッセージを用いて今回決定した関連パラメータを通知する必要がなくなる。従って、本発明によれば、ＲＲＣメッセージの通知量を削減することが可能になるため、フィードバック信号に係る関連パラメータの通知に起因する周波数利用効率低下を抑制することができるようになる。
【０１３５】
なお、フィードバック信号に係る関連パラメータの通知に起因する周波数利用効率低下を抑制する他の手段として、ＵＥのグループ化によるＲＲＣメッセージの通知量を削減する手段（ＵＥをグループ化し、ある通知タイミングにおいては、特定のグループのみ関連パラメータを通知する手段）も考えられる。しかしながら、ＵＥのグループ化によるＲＲＣメッセージの通知量を削減する手段を適用した場合、グループ化による分割損が発生し得る。従って、ＣＱＩ／ＰＭＩ／ＲＩフィードバック信号に必要以上の無線リソースが割り当てられる恐れがあるため、周波数利用効率が低下する恐れもある。つまり、本発明は、ＵＥのグループ化によるＲＲＣメッセージの通知量を削減する手段よりも、関連パラメータの通知に起因する周波数利用効率低下を抑制する手段として有利である。
【０１３６】
また、本発明の一実施形態による信号割当装置１０によれば、ＵＥのＣＱＩ／ＰＭＩ送信制御情報決定時のパラメータ決定順序として、先にＰＵＣＣＨ  ｆｏｒｍａｔ２のｃｙｃｌｉｃ  ｓｈｉｆｔ  ｉｎｄｅｘを増やして順次に候補端末に付与し、その後、送信ＳｕｂｆｒａｍｅのＯｆｆｓｅｔ値を増やして順次に候補端末に付与するため、ＳｕｂｆｒａｍｅあたりＰＵＣＣＨに利用される無線リソースが変動し、無線リソースを有効利用することができるようになる。
【０１３７】
なお、本発明の一実施形態による信号割当装置１０の各処理を実行するためのプログラムをコンピュータ読み取り可能な記録媒体に記録して、当該記録媒体に記録されたプログラムをコンピュータシステムに読み込ませ、実行することにより、本発明の一実施形態による信号割当装置１０の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１３９】
以上、この発明の実施形態について図面を参照して詳述してきたが、具体的な構成はこの実施形態に限られるものではなく、この発明の要旨を逸脱しない範囲の設計等も含まれる。
【符号の説明】
【０１４０】
１  基地局装置  ２  ＵＥ（移動局端末）１０  信号割当装置  １００  入力情報制御部  １１０  フィードバック信号割当決定部  １２０  フィードバック信号受信部
【図１】
2011066643.tif 000003
【図２】
2011066643.tif 000004
【図３】
2011066643.tif 000005
【図４】
2011066643.tif 000006
【図５】
2011066643.tif 000007
【図６】
2011066643.tif 000008
【図７】
2011066643.tif 000009
【図８】
2011066643.tif 000010
【図９】
2011066643.tif 000011
【図１０】
2011066643.tif 000012
【図１１】
2011066643.tif 000013
【図１２】
2011066643.tif 000014
【図１３】
2011066643.tif 000015
【図１４】
2011066643.tif 000016
【図１５】
2011066643.tif 000017
【図１６】
2011066643.tif 000018